(57)【要約】本発明は、使用者端末がドライビング無線網制御器の任意のセルに移動し、Ｉｕｒインターフェースが存在する場合、ＭＢＭＳポイント対ポイントチャンネル方式とポイント対マルチポイントチャンネル方式を支援するためのチャンネルタイプスイッチング方法を提供し、また、使用者端末がＤＲＮＣの制御下の任意のセルに移動し、サービング無線網制御器が再び割り当てられない一方、ＭＢＭＳチャンネルタイプ又は、チャンネルタイプに従うパラメータが変更される状況でＭＢＭＳサービスを受信する場合のＭＢＭＳチャンネルスイッチング手順を提供し、さらに、本発明は、使用者端末が移動せず、他の使用者端末が移動するか、又は、新たなサービスジョイニングを遂行する場合、ドライビング無線網制御器を通してサービング無線網制御器と接続され、サービス中であるＭＢＭＳサービスのＭＢＭＳチャンネルスイッチング手順を提供する。
2005536142.tif 000002
【特許請求の範囲】
【請求項１】
サービング無線網制御器（ＳＲＮＣ）とＩｕｒインターフェースを介して接続されているドライビング無線網制御器（ＤＲＮＣ）の任意のセルに、マルチキャストマルチメディア放送サービス（ＭＢＭＳ）を要請した使用者端末（ＵＥ）が移動する場合における、ＭＢＭＳのポイント対ポイント（ＰｔＰ）チャンネル及びポイント対マルチポイント（ＰｔＭ）チャンネルのためのチャンネルタイプスイッチング方法であって、
前記ＤＲＮＣが前記セル内のＭＢＭＳサービスを要請した使用者の数に基づいて共通チャンネルと専用チャンネルとの間のチャンネルタイプスイッチングの遂行を決定するステップと、
前記ＤＲＮＣがＭＢＭＳチャンネルタイプとチャンネルパラメータとを前記ＳＲＮＣに通知するステップと、
を含むことを特徴とする方法。
【請求項２】
前記チャンネルタイプスイッチングは、前記使用者の数に対するしきい値によって決定されることを特徴とする請求項１記載の方法。
【請求項３】
前記チャンネルタイプスイッチングは、
前記ＳＲＮＣが前記ＤＲＮＣへ専用チャンネル設定を要請し、前記設定しようとする専用チャンネルの関連した情報と前記使用者によって受信されたＭＢＭＳサービス識別子を前記ＤＲＮＣに通知するステップと、
前記ＤＲＮＣが前記ＭＢＭＳ使用者の数をさらにカウンティングするステップと、
前記ＤＲＮＣが前記使用者の数に従って専用チャンネル又は共通チャンネルの設定を決定するステップと、
前記ＤＲＮＣが設定されるチャンネルタイプの情報を前記ＳＲＮＣへ報告するステップと、
前記ＳＲＮＣが前記専用チャンネルを設定し、前記ＤＲＮＣから共通チャンネルの情報を獲得するステップと、
前記ＳＲＮＣがチャンネルスイッチングを完了するために、ＲＲＣメッセージを通じてＭＢＭＳチャンネルの再構成をＵＥに通知するステップと、
を含むことを特徴とする請求項１記載の方法。
【請求項４】
前記チャンネルタイプスイッチングは、
前記ＳＲＮＣがＭＢＭＳサービスタイプと使用されたチャンネル情報とを通知するために、前記ＤＲＮＣへメッセージを伝送するステップと、
前記ＤＲＮＣが設定しようとするチャンネルタイプを決定し、設定されるＭＢＭＳチャンネルのパラメータを前記ＳＲＮＣに通知するステップと、
前記ＳＲＮＣがチャンネルスイッチングを完了するために、ＲＲＣメッセージを通じてＭＢＭＳチャンネルの再構成を前記ＵＥへ通知するステップと、を含むことを特徴とする請求項１記載の方法。
【請求項５】
前記チャンネルタイプスイッチングは、
前記ＳＲＮＣがＤＲＮＣにＭＢＭＳサービスタイプを問い合わせるためのメッセージを伝達するステップと、
前記ＤＲＮＣが設定しようとするチャンネルタイプを決定し、前記設定されたＭＢＭＳチャンネルタイプのパラメータを前記ＳＲＮＣに伝達するステップと、
前記ＳＲＮＣが専用チャンネル設定を完了するか、又は、前記ＤＲＮＣから共通チャンネル情報を獲得するステップと、
前記ＳＲＮＣがチャンネルスイッチングを完了するために、無線資源制御（ＲＲＣ）メッセージを通じてＭＢＭＳチャンネル再構成を使用者端末に通知するステップと、をさらに含むことを特徴とする請求項１記載の方法。
【請求項６】
前記ＳＲＮＣから前記ＤＲＮＣに伝達される前記メッセージは、前記ＤＲＮＣが使用者端末の数をカウントするための、前記使用者端末が受信しているＭＢＭＳサービス識別子を含むことを特徴とする請求項３乃至請求項５のいずれか１項記載の方法。
【請求項７】
前記ＵＥがＤＲＮＣで前記サービスを要請した一番目の加入者であれば、前記ＤＲＮＣは、基幹回線網とのＲＡＢ接続を遂行するステップを含むことを特徴とする請求項３乃至請求項５のいずれか１項記載の方法。
【請求項８】
マルチキャストマルチメディア放送サービス（ＭＢＭＳ）のポイント対ポイント（ＰｔＰ）チャンネル及びポイント対マルチポイント（ＰｔＭ）チャンネルのための、無線網制御器のチャンネルタイプスイッチング方法であって、
サービス中のＭＢＭＳサービスから任意の使用者が脱退する場合、任意のセルのＭＢＭＳ使用者端末の数を確認するステップと、
前記ＭＢＭＳサービスを要請した前記使用者端末の数と特定のしきい値に従って、前記ＭＢＭＳチャンネルタイプを決定するステップと、
前記ＭＢＭＳチャンネルタイプの変更をサービング無線網制御器（ＳＲＮＣ）に報告するステップと、
を含むことを特徴とする方法。
【請求項９】
前記ＳＲＮＣは、ドライビング無線網制御器（ＤＲＮＣ）からＭＢＭＳチャンネルタイプを受信し、前記セルの前記使用者端末にチャンネル再構成要請メッセージを伝送するステップをさらに含むことを特徴とする請求項８記載の方法。
【請求項１０】
無線網制御器がマルチキャストマルチメディア放送サービス（ＭＢＭＳ）のポイント対ポイント（ＰｔＰ）チャンネル及びポイント対マルチポイント（ＰｔＭ）チャンネルのためのチャンネルタイプスイッチング方法であって、
サービング無線網制御器（ＳＲＮＣ）がドライビング無線網制御器（ＤＲＮＣ）にチャンネル情報問合せメッセージを伝送するステップと、
前記ＤＲＮＣが前記チャンネル情報問合せメッセージを受信してＭＢＭＳチャンネルタイプとＭＢＭＳチャンネルのパラメータとを前記ＳＲＮＣに伝送するステップと、
前記ＳＲＮＣがチャンネルスイッチングを完了するために、無線資源制御（ＲＲＣ）メッセージを通じてＭＢＭＳチャンネルの再構成を使用者端末に通知するステップと、を含んでおり、前記ＭＢＭＳチャンネルタイプは、前記セル内のＭＢＭＳサービスを要請した使用者端末の数によって決定されることを特徴とする方法。
【請求項１１】
前記ＳＲＮＣから前記ＤＲＮＣに伝送される前記メッセージは、ＭＢＭＳサービス識別子を含むことを特徴とする請求項１０記載の方法。
【請求項１２】
使用者端末（ＵＥ）がドライビング無線網制御器（ＤＲＮＣ）の制御下にある任意のセルに移動する場合に、前記ＤＲＮＣを通して基幹回線網（ＣＮ）に対するマルチキャストマルチメディア放送サービス（ＭＢＭＳ）を設定するためのデータ通信チャンネルを設定する方法であって、
サービング無線網制御器（ＳＲＮＣ）が前記ＤＲＮＣに任意のメッセージを伝送するステップと、
前記ＤＲＮＣがＭＢＭＳサービス要請メッセージを前記ＣＮに伝送するステップと、
前記ＣＮが前記ＤＲＮＣとのデータ接続のセットアップを要請するステップと、
前記ＤＲＮＣが前記基幹回線網に応答メッセージを伝送するステップと、
を含むことを特徴とする方法。
【請求項１３】
前記ＳＲＮＣから前記ＤＲＮＣに伝送するメッセージは、ＭＢＭＳサービス識別子を含むことを特徴とする請求項１２記載の方法。
【発明の詳細な説明】
【技術分野】
【０００１】
本発明は、マルチキャストマルチメディア放送サービス（Multimedia Broadcast and Multicast Service；以下、ＭＢＭＳと称する。）を提供する移動通信システムに関し、特に、このマルチキャストマルチメディア放送サービスによるポイント対ポイント（Point-to-Point）チャンネルとポイント対マルチポイント（Point-to-MultiPoint）チャンネルとをチャンネルスイッチングする方法に関する。
【背景技術】
【０００２】
マルチキャストマルチメディア放送サービスは、第３世代移動通信システムにおいて、新たに提案されたポイント対マルチポイント（以下、‘ＰｔＭ’ と称する。）サービスである。ＭＢＭＳサービスで使用されるチャンネルタイプは、サービス使用者の数に従うポイント対ポイント（以下、‘ＰｔＰ’ と称する。）チャンネル方式、及びＰｔＭチャンネル方式がある。現在のＰｔＰチャンネルサービス方式は、任意の使用者が任意の新たなセル、すなわち、目的地セルに移動する場合、この使用者端末が位置したソースセルからこの目的地セルにハンドオーバーを遂行するときに使用されるチャンネル方式である。現在のチャンネルハンドオーバーは、すべてＰｔＰチャンネル方式に基づいていると共に、このチャンネル方式による特性は変わらない。このＭＢＭＳサービスにおいて、セルの変更は、結果としてチャンネル特性の変化をもたらす。
【０００３】
本発明を更に詳しく説明するために、移動通信システムにおいてＭＢＭＳサービスを提供するためのネットワーク構造を図９を参照して説明する。
【０００４】
ＭＢＭＳネットワークは、パケット無線サービス支援ノード（General Packet Radio service；以下、‘ＧＰＲＳ’と称する。）である基幹回線網（core network）に基づいて、新たなネットワークの構成を追加した構造を有する。マルチキャスト放送サービスセンター（Broadcast／Multicast Service Center；以下、‘ＢＭ−ＳＣ’と称する。）（０１）は、ＭＢＭＳシステムのサービス制御センターである。ゲートウェイパケット無線サービス支援ノード（Gateway GPRS Supporting Node；以下、‘ＧＧＳＮ’と称する。）（０２）及びサービスパケット無線サービス支援ノード（Service GPRS Supporting Node；以下、‘ＳＧＳＮ’と称する。）（０３）は、ＭＢＭＳサービス伝送ネットワークで構成され、データ伝送のためのルート(route)を提供する。ホーム位置登録器（Home Location Register；以下、‘ＨＬＲ’と称する。）（０６）は、使用者端末に関連したデータを貯蔵し、使用者認証のようなサービスを提供する。ＵＭＴＳ無線アクセスネットワーク（UMTS Terrestrial Radio Access Network；以下、‘ＵＴＲＡＮ’と称する。）（０４）は、無線インターフェース上でＭＢＭＳサービスのための無線資源を提供する。Ｕｕ（０７）は、端末装置と無線アクセスネットワークとの間の無線インターフェースを指す。使用者端末（User Equipment；以下、‘ＵＥ’と称する。）（０５）は、データを受信する端末装置を意味する。このＭＢＭＳサービスで使用される無線資源は、１つの使用者のための専用資源ではなく、複数の使用者によって共有される。
【０００５】
従来技術による移動通信システムにおいては、同一のＳＧＳＮに位置するが、相互に異なるＲＮＣのセル間のハンドオーバーをＵＥが遂行する場合、サービング無線網制御器（Serving RNC；以下、‘ＳＲＮＣ’と称する。）がＳＲＮＣを再び割り当てるか否かを決定する。ＳＲＮＣの再割当てが行われないと、データ及びシグナリングストリームは、Ｉｕｒインターフェースを介してドライビング無線網制御器（Drift RNC；以下、‘ＤＲＮＣ’と称する。）に伝送される。その後、このＤＲＮＣからＵＥに伝送される。このようなハンドオーバー手順で、このＵＥの位置に基づく相異なる無線接続状態に従って相互に異なる手順が遂行される。
【０００６】
アイドル状態であるＣＥＬＬ＿ＦＡＣＨ（cell_Forward Access Channel）、ＣＥＬＬ＿ＰＣＨ（cell_Paging Channel）、ＵＲＡ＿ＰＣＨ（UTRAN Registration Area_Paging Channel）状態で、ＵＥがＳＲＮＣの１つのセルから他のＲＮＣの任意のセルに移動するとき、この目的地ＲＮＣは、ＤＲＮＣと称する。このとき、ＵＥは、ＤＲＮＣにセルアップデート（cell update）メッセージを伝送する。そして、ＤＲＮＣは、Ｉｕｒインターフェースを介してセルアップデートメッセージをＳＲＮＣに伝達する。その後、ＳＲＮＣは、ＤＲＮＣのこのセルの共通資源情報を獲得し、この情報をＵＥに通知するために、ＤＲＮＣと通信する。図７は、このセルアップデート手順を示し、これは、下記のように説明される。
【０００７】
ステップ６０１で、ＵＥが任意のセルを再び選択した後、ＤＲＮＣにセルアップデートメッセージを伝送する。
【０００８】
ステップ６０２で、ＤＲＮＣは、ＵＥにＤＲＮＣ無線ネットワーク臨時識別子（DRNC-Radio Network Temporary Identifier；以下、‘Ｄ−ＲＮＴＩ’と称する。）を割り当て、ＳＲＮＣにアップリンクシグナリング伝送指示メッセージを伝送する。
【０００９】
ステップ６０３で、ＳＲＮＣは、ＳＲＮＣの再割当てを遂行するか否かを決定し、共通伝送チャンネル資源要請メッセージ（common transport channel resource request message）をＤＲＮＣに伝送する。
【００１０】
ステップ６０４で、ＤＲＮＣは、共通伝送チャンネル資源応答（common transport channel resource response）メッセージを通して共通チャンネルの情報をＳＲＮＣに知らせる。
【００１１】
ステップ６０５で、ＳＲＮＣは、Ｉｕｒインターフェースを介してデータベアラーを設定する。
【００１２】
ステップ６０６で、ＳＲＮＣは、ＵＥにこの新たなセル及び新たなＵＥ識別子であるＵＥ共通チャンネル情報を知らせるために、セルアップデート確認メッセージ（cell update confirmation message）を伝送する。
【００１３】
ステップ６０７で、ＵＥは、セルアップデート手順が完了することをＳＲＮＣに応答する。
【００１４】
ステップ６０８で、ＳＲＮＣは、もとのセル（original cell）におけるこの使用者の無線資源を削除する。
【００１５】
ＣＥＬＬ＿ＤＣＨ（cell_ Dedicated Channel）状態で、ＵＥは、他のＲＮＣの任意のセルに移動する。ＳＲＮＣは、ＵＥによって報告されたメジャーメント（measurement）報告に従って他のセルにハンドオーバーを遂行するか否かを決定し、専用無線リンク構成をＤＲＮＣに通知する。ＤＲＮＣは、無線リンク構成を完了した後、ＵＥがハンドオーバーしてからのＵＥの無線リンク状態を通知するために、ＳＲＮＣに伝送する。
【００１６】
図８は、このような状態でセルハンドオーバーを遂行する手順を示す。
【００１７】
ステップ７０１で、ＳＲＮＣは、ＤＲＮＣの新たなセルに位置したＵＥのための新たな専用無線リンク（ＲＬ）を設定するか否かを決定する。ＳＲＮＣは、ＤＲＮＣに無線リンク設定要請メッセージを伝送し、専用チャンネルの情報をＤＲＮＣに伝送する。
【００１８】
ステップ７０２及び７０３で、ＤＲＮＣは、新たな無線専用リンクを設定する。
【００１９】
ステップ７０４で、ＤＲＮＣは、ＳＲＮＣに無線リンク追加応答メッセージを伝送する。
【００２０】
ステップ７０５で、Ｉｕｒインターフェースを設定し、Ｉｕｒインターフェースデータベアラーを設定する。ステップ７０６及び７０７で、データフレームの同期を合わせる。
【００２１】
ステップ７０６及び７０８で、ＳＲＮＣは、ＵＥに新たな専用リンクが追加されることを通知する。
従来技術において、ＵＥとＲＮＣとの間のＲＲＣシグナリングと使用者データは、すべてＳＲＮＣを通してＤＲＮＣへ伝送する。その後、ＤＲＮＣは、これを使用者に伝送する。
【００２２】
従来の移動通信システムにおいて、使用者のシグナリング及びデータは、ＳＲＮＣを通してＤＲＮＣに伝送され、ＤＲＮＣがこれを使用者に伝送する。ハンドオーバーの前後に、この使用者によって使用されるチャンネルタイプは変更されない。例えば、専用チャンネルから専用チャンネルに変更されると仮定する。ＭＢＭＳは、新たに提案されたＰｔＭサービスである。ＭＢＭＳサービスは、データの伝送のために、ＰｔＰチャンネル方式又はＰｔＭチャンネル方式が使用されることができる。ＲＮＣは、任意のセルの同一の種類のＭＢＭＳサービスを要請した使用者の数を考慮してチャンネルタイプを決定する。このとき、この同一のＭＢＭＳサービスを要請した使用者の数が少ない場合、このＭＢＭＳサービスのためのチャンネルタイプは、ＰｔＰ方式である。一方、このＭＢＭＳサービスを要請した使用者の数が設定された特定のしきい値を超過する場合、このＭＢＭＳチャンネルタイプは、ＰｔＭ方式である。
【００２３】
従って、使用者がセル再選択手順に従ってＳＲＮＣの任意のセルからＤＲＮＣの任意のセルに移動する場合、ＳＲＮＣは、再び割り当てられないと仮定する。ＤＲＮＣは、このセルで同一のＭＢＭＳサービスを要請した使用者端末の数を考慮してＭＢＭＳチャンネルタイプを決定する。これは、結果としてハンドオーバーの前後で、使用者によって使用されるＭＢＭＳチャンネルタイプが違うものになる可能性がある。そのため、使用者によって使用されるＭＢＭＳチャンネルをＰｔＰチャンネルからＰｔＭチャンネルに再構成する必要がある。しかしながら、従来では、このようなハンドオーバー技術が考慮されなかった。
【００２４】
ＵＥがこのセルハンドオーバー手順を完了した後、使用者がこのセルに転入するか、または他のセルに転出してこのＭＢＭＳサービスの使用者の数が変更されることにより、あるいは、他の使用者がこのＭＢＭＳサービスに加入するか、または同一のＭＢＭＳサービスを脱退してこのＭＢＭＳサービスの使用者の数が変更されることにより、使用者の数が設定されたしきい値を超過する場合、このＭＢＭＳチャンネルタイプは変更される。現在の通信技術は、ＳＲＮＣが自分のセルのＭＢＭＳチャンネルタイプの変更を通知する方法、そして、ＳＲＮＣがこのセルの内の全ての使用者にＭＢＭＳチャンネル再構成を通知する方法が提案されなかった。
【００２５】
ＲＮＣは、ＭＢＭＳサービスを要請した使用者の数をカウンティングする機能を遂行する。使用者のセルハンドオーバーに従って、ＳＲＮＣの任意のセルからＤＲＮＣの任意のセルへのハンドオーバーが遂行され、ＳＲＮＣの再割当てが遂行されない場合において、解決すべき他の問題点は、ＳＲＮＣがＤＲＮＣに特定のセルの内のＭＢＭＳサービス使用者の数を再びカウンティングするようにするために、ＤＲＮＣにこの使用者端末が要請したＭＢＭＳサービスタイプを通知しなければならないということである。
【００２６】
上述したように、ＭＢＭＳサービスは、新たなサービス形態であって、従来のハンドオーバー技術は、このＭＢＭＳサービスに完全に適用することができない、という問題点があった。
【発明の開示】
【発明が解決しようとする課題】
【００２７】
上記背景に鑑みて、本発明の目的は、ＵＥが他のＲＮＣにハンドオーバーを遂行し、ＳＮＲＣが再び割当てられない場合、使用者が受信中であるＭＢＭＳサービスのためのチャンネルスイッチングを遂行するハンドオーバー方法を提供することにある。
【００２８】
本発明の他の目的は、ＵＥが移動しない場合に、他のＵＥが同一のＭＢＭＳサービスに加入するかまたは脱退することにより、あるいは、特定のセルに他のＵＥが転入するかまたは他のセルに転出することにより、ＭＢＭＳチャンネルタイプが変更されるとき、ＭＢＭＳチャンネルタイプスイッチングを遂行するハンドオーバー方法を提供することにある。
【課題を解決するための手段】
【００２９】
このような目的を達成するために、本発明の実施形態によると、サービング無線網制御器（ＳＲＮＣ）とＩｕｒインターフェースを介して接続されているドライビング無線網制御器（ＤＲＮＣ）の任意のセルにＭＢＭＳサービスを受信するＵＥが移動する場合、このＭＢＭＳのＰｔＰ方式及びＰｔＭ方式のためのチャンネルタイプスイッチング方法であって、ＤＲＮＣがこのセルのＭＢＭＳサービスを受ける使用者端末の数を考慮して、共通チャンネルと専用チャンネルとの間のチャンネルタイプスイッチングを遂行できるか否かを決定するステップと、ＤＲＮＣが決定されたＭＢＭＳチャンネルタイプとチャンネルパラメータをＳＲＮＣに通知するステップと、を含むことを特徴とする。
【００３０】
本発明の他の実施形態によると、無線網制御器におけるＭＢＭＳのポイント対ポイント（ＰｔＰ）チャンネル及びポイント対マルチポイント（ＰｔＭ）チャンネルのためのチャンネルタイプスイッチング方法であって、任意の使用者端末がサービス中であるＭＢＭＳサービスから脱退するときに、任意のセルのＭＢＭＳ使用者端末の数を確認するステップと、このＭＢＭＳサービスを受ける使用者の数及び任意のしきい値を考慮して、ＭＢＭＳチャンネルタイプを決定するステップと、このＭＢＭチャンネルタイプの変更をサービング無線網制御器（ＳＲＮＣ）に報告するステップと、を含むことを特徴とする。
【００３１】
本発明のさらなる実施形態によると、無線網制御器におけるＭＢＭＳポイント対ポイント（ＰｔＰ）チャンネル及びポイント対マルチポイント（ＰｔＭ）チャンネルのためのチャンネルタイプスイッチング方法であって、サービング無線網制御器（ＳＲＮＣ）がＭＢＭＳチャンネル情報問合せメッセージをドライビング無線網制御器（ＤＲＮＣ）に伝送するステップと、ＤＲＮＣがこのチャンネル情報問合せメッセージを受信してＭＢＭＳチャンネルタイプ及びこのＭＢＭＳチャンネルのチャンネルパラメータをＳＲＮＣに伝送するステップと、ＳＲＮＣがチャンネルスイッチングを完了するために、ＲＲＣメッセージを通じてＵＥがＭＢＭＳチャンネルを再構成するように通知するステップと、を含むことを特徴とする。ここで、このチャンネルタイプは、このＭＢＭＳサービスを提供するセルに位置した使用者端末の数に従って決定される。
【００３２】
本発明のもうひとつの実施形態によると、使用者端末がドライビング無線網制御器（ＤＲＮＣ）の制御下にある任意のセルに移動する場合、このＤＲＮＣを通して基幹回線網（ＣＮ）に対するＭＢＭＳを設定するためのデータ通信チャンネルを設定する方法であって、サービング無線網制御器（ＳＲＮＣ）がこのＤＲＮＣにメッセージを伝送するステップと、このＤＲＮＣがＭＢＭＳサービス要請メッセージをこの基幹回線網（ＣＮ）に伝送するステップと、このＣＮがＤＲＮＣとのデータ接続を設定するために、ＤＲＮＣに要請するステップと、このＤＲＮＣがこのＣＮに応答メッセージを伝送する工程と、を含むことを特徴とする。
【発明の効果】
【００３３】
本発明は、移動端末のセルハンドオーバーを考慮してマルチキャストマルチメディア放送サービスを支援する。すなわち、移動端末の移動性を考慮してＭＢＭＳサービスを支援し、これにより、制限されている無線資源を効率的に使用することができる、という長所を有する。 
【発明を実施するための最良の形態】
【００３４】
以下、本発明による好適な一実施形態について添付した図面を参照しつつ詳細に説明する。下記の説明において、本発明の要旨のみを明瞭にする目的で、関連した公知の機能又は構成に関する具体的な説明は省略する。
【００３５】
本発明は、ＵＥがＤＲＮＣの任意のセルに移動し、ＳＲＮＣが再び割り当てられない場合、ＭＢＭＳチャンネルタイプスイッチングの問題を解決するための多様な方法を提案する。
【００３６】
一番目の方法は、現存するメッセージを変更してＭＢＭＳチャンネルスイッチングを実現するための現在のセルハンドオーバー手順に使用する。４個のメッセージがこの手順を完了することができる。さらに、現存するメッセージを変更するに従って、ＲＮＣは、使用者端末の移動中にもＭＢＭＳサービス使用者端末の数を正確にカウントすることができる。
【００３７】
二番目の方法は、２つの新たなメッセージを追加してセルハンドオーバーのための現存するメッセージを変更せずに、ＭＢＭＳチャンネルスイッチングを遂行する。この二番目の方法は、現在のハンドオーバー手順に何の影響も与えない。そして、この専用チャンネルから共通チャンネルへのスイッチング、及び共通チャンネルから専用チャンネルへのスイッチングは、この手順と同様に実現される。
【００３８】
三番目の方法は、セルハンドオーバーのために、現存するメッセージを変更せず、Ｉｕｒインターフェース上の現存するメッセージと組み合わせるだけではなく、新たに追加されたメッセージを通してＭＢＭＳチャンネルスイッチングを完了する。
【００３９】
Ｉｕｒインターフェースが存在し、このセルの他のＵＥが転入／転出するか、または、このＭＢＭＳサービスに加入／脱退する場合、このＭＢＭＳチャンネルタイプは変更される。このような状況は、このＵＥがスタティック状態（セルハンドオーバーを遂行しない）であるときに、ＭＢＭＳチャンネルスイッチングを完了する方法に該当する。本発明は、次のような四番目の方法を提案してこの問題を解決しようとする。
【００４０】
四番目の方法は、Ｉｕｒインターフェース上に１つの新たなメッセージを追加する。このとき、ＤＲＮＣは、ＳＲＮＣにこのＭＢＭＳチャンネルタイプの変更を通知する。このチャンネルタイプが専用チャンネルに変更される場合、ＳＲＮＣは、このＵＥのために、無線専用リンクとＩｕｒ ＭＢＭＳ専用データベアラーを設定する。さらに、ＳＲＮＣは、このＵＥにＭＢＭＳチャンネル情報を通知する機能を遂行する。このＭＢＭＳチャンネルタイプが専用チャンネルから共通チャンネルに変更されると、ＤＲＮＣは、新たに追加されたメッセージを通してＭＢＭＳ共通チャンネル情報をＳＲＮＣに知らせ、ＳＲＮＣは、ＵＥにＭＢＭＳチャンネル再構成を通知する。
【００４１】
（１） 移動中の状況でのチャンネルタイプスイッチング
方法１：
（１．１） 専用チャンネルから共通チャンネルまたは専用チャンネルへのスイッチング
専用チャンネルから専用チャンネルへのスイッチングに従うチャンネル設定手順は、基本的に、現在の標準化で記載したことと同一である。
【００４２】
専用チャンネルから共通チャンネルへのスイッチングに従うチャンネル設定手順は、専用チャンネル及び共通チャンネルのための設定手順を組み合わせる。一番目に、ＳＲＮＣは、ＤＲＮＣに専用チャンネル設定を要請し、専用チャンネルを設定するための関連情報及び特定の使用者によって受信されるＭＢＭＳサービス識別子をＤＲＮＣに知らせる。ＤＲＮＣは、このＭＢＭＳサービス識別子に対応してこのＭＢＭＳ使用者の数を再びカウンティングする。このとき、この使用者端末の数が任意のしきい値より大きい場合、ＤＲＮＣは、このＭＢＭＳサービスのために専用チャンネルを設定することができず、共通チャンネルを設定することを、応答メッセージを通してＳＲＮＣに知らせる。ＳＲＮＣがこのチャンネルタイプの変更を認知した後、ＳＲＮＣは、共通チャンネルを設定するための要請メッセージをＤＲＮＣにさらに伝送する。その後、ＤＲＮＣは、共通チャンネル情報をＳＲＮＣに報告する。ＳＲＮＣがこの共通チャンネル情報を獲得した後、ＳＲＮＣは、この新たな共通チャンネルの特性をＵＥに通知する。
【００４３】
（１．２） 共通チャンネルから専用チャンネル又は共通チャンネルへのスイッチング
共通チャンネルから専用チャンネルへのスイッチングに従うチャンネル設定手順は、基本的に現在の標準化で記載したことと同一である。
【００４４】
共通チャンネルから専用チャンネルへのスイッチングに従うチャンネル設定手順は、専用チャンネル設定手順及び共通チャンネルのための設定手順を組み合わせる。
【００４５】
この設定手順は、下記の通りである。まず、ＳＲＮＣは、ＤＲＮＣに共通チャンネル設定を要請し、このＵＥによって受信されるＭＢＭＳサービス識別子をＤＲＮＣに知らせる。ＤＲＮＣは、このＭＢＭＳサービス識別子に対応してこのＭＢＭＳ使用者の数を再びカウンティングする。このとき、この使用者端末の数が設定されたしきい値より小さい場合、ＤＲＮＣは、このＭＢＭＳサービスのために共通チャンネルを設定することができず、専用チャンネルを設定することを、応答メッセージを通してＳＲＮＣに知らせる。ＳＲＮＣは、このチャンネルタイプの変更を認知した後、専用チャンネルを設定するための要請メッセージをＤＲＮＣにさらに伝送する。その後、ＤＲＮＣは、専用チャンネル情報をＳＲＮＣに報告する。ＳＲＮＣは、この専用チャンネル情報を獲得した後、この新たな専用チャンネルの特性をＵＥに通知する。
【００４６】
方法２：
ＳＲＮＣは、セルアップデートメッセージを受信するか、メジャーメント報告を受信した後、新たなセルへのハンドオーバーを遂行するか否かを決定する。ＳＲＮＣは、ＭＢＭＳサービス識別子、ＭＢＭＳ専用チャンネル情報、及び共通情報を組み合わせられたメッセージを通してＤＲＮＣに知らせる。ＤＲＮＣは、このＭＢＭＳサービス識別子に対応してこのＭＢＭＳ使用者の数を再びカウンティングする。ＤＲＮＣは、この使用者の数に従って専用チャンネルを設定するか、又は、共通チャンネルを設定するかを決定し、ＳＲＮＣから伝送されたチャンネル情報に従って対応するチャンネルを設定する。このチャンネルが成功的に設定された後、ＤＲＮＣは、対応する共通チャンネル又は専用チャンネルパラメータをＳＲＮＣに報告する。その後、ＳＲＮＣは、ＲＲＣメッセージを通してＵＥにＭＢＭＳチャンネル再構成を知らせる。
【００４７】
方法３：
ＳＲＮＣは、セルアップデートメッセージを受信するか、またはメジャーメント報告を受信した後、新たなセルへのハンドオーバーを決定する。ＳＲＮＣは、ＤＲＮＣにＭＢＭＳチャンネルタイプを問い合わせる。このメッセージは、ＵＥが受信中のＭＢＭＳサービス識別子で構成される。ＤＲＮＣは、このＭＢＭＳサービス識別子に対応してこのＭＢＭＳ使用者の数を再びカウンティングする。このとき、ＤＲＮＣは、このＭＢＭサービス使用者の数を考慮して設定するためのＭＢＭＳチャンネルタイプを決定し、このＭＢＭＳチャンネルタイプが専用チャンネルであるか、又は、共通チャンネルであるかをＳＲＮＣに報告する。専用チャンネルが使用されると、ＳＲＮＣは、対応する専用チャンネル及びＩｕｒ専用データベアラーを設定する。一方、共通チャンネルが使用されると、ＳＲＮＣは、ＭＢＭＳ共通チャンネル情報を要請するメッセージをＤＲＮＣに伝送し、ＲＲＣメッセージを通してＵＥにＭＢＭＳチャンネル再構成を知らせる。
【００４８】
（２） 移動中でない状況でのチャンネルタイプスイッチング
方法４：
「専用チャンネルから共通チャンネルへのスイッチング」
ＤＲＮＣは、ＭＢＭＳ使用者の数をカウンティングする。このとき、この使用者の数が特定のしきい値を超過すると、ＤＲＮＣは、共通チャンネルの設定を決定する。
【００４９】
ＤＲＮＣは、共通チャンネル情報をＳＲＮＣに通知し、このＳＲＮＣは、ＵＥにチャンネル再構成を通知する。
【００５０】
「共通チャンネルから専用チャンネルへのスイッチング」
ＤＲＮＣは、ＭＢＭＳ使用者の数をカウンティングする。このとき、この使用者の数が特定のしきい値より小さいと、ＤＲＮＣは、専用チャンネルの設定を決定する。
【００５１】
ＤＲＮＣは、これをＳＲＮＣに通知し、ＳＲＮＣは、ＭＢＭＳ専用チャンネルを設定し、ＵＥにこの専用チャンネル情報を通知する。
【００５２】
（３） 移動中である使用者の数のカウンティング
セルハンドオーバー手順中、情報要素、すなわち、ＭＢＭＳサービス識別子が、現存するメッセージに基づいてＳＲＮＣからＤＲＮＣに伝送される第１のメッセージに追加される。このメッセージは、ＭＢＭＳサービス使用者の数をカウンティングするためにＤＲＮＣによって使用される。
【００５３】
（４） チャンネルセットアップメッセージ
（４．１） 現存するメッセージへの変更
「Ｉｕｒインターフェースメッセージ」
「共通伝送チャンネル資源要請メッセージ」
新たな情報要素、すなわち、ＭＢＭＳサービス識別子が、現在標準に定義されているメッセージに新たに追加される。このＭＢＭＳサービス識別子は、２つのパーツ、すなわち、アクセスポイントネーム（Access Point Name）及びインターネットプロトコルマルチキャストアドレス（IP（Internet Protocol）multicast address）を含む。
【００５４】
「共通伝送チャンネル資源応答メッセージ」
新たな情報要素、すなわち、ＭＢＭＳチャンネルタイプが、現在標準に定義されているメッセージに新たに追加される。この情報は、すなわち、ブール値（Boolean value）で設定される。例えば、“１”は、専用チャンネルタイプを意味し、“０”は、共通チャンネルタイプを意味する。
【００５５】
無線リンクセットアップ要請メッセージに新たな情報、すなわち、ＭＢＭＳサービス識別子を追加する。これは、現在標準に定義されているメッセージに基づいている。このＭＢＭＳサービス識別子は、２つのパーツ、すなわち、ＡＰＮ及びＩＰマルチキャストアドレスを含む。
【００５６】
「無線リンクセットアップ応答メッセージ」
新たな情報要素、すなわち、ＭＢＭＳチャンネルタイプが、現在標準に定義されているメッセージに新たに追加される。これは、ブール値で設定される。例えば、“１”は、専用チャンネルタイプを意味し、“０”は、共通チャンネルタイプを意味する。
【００５７】
「ＲＲＣメッセージ」
「セルアップデート確認メッセージ（Cell update confirmation message）」
新たな情報、すなわち、ＭＢＭＳチャンネルタイプが、現在標準に定義されているメッセージに新たに追加される。この情報は、すなわち、ブール値で設定される。一例では、“１”は、専用チャンネルタイプを意味し、“０”は、共通チャンネルタイプを意味する。そして、ＭＢＭＳチャンネル情報が追加される。これは、選択的タイプである。ＭＢＭＳサービスタイプが専用チャンネルであれば、このメッセージは、ＭＢＭＳ専用チャンネル情報を含む。このような詳細な情報要素は、現在標準に定義されている情報と同一である。ＭＢＭＳサービスタイプが共通チャンネルであれば、このメッセージは、ＭＢＭＳ共通チャンネル情報を含む。
【００５８】
（４．２） ＭＢＭＳチャンネルスイッチングのために新たに定義されたメッセージ
（４．２．１） ＭＢＭＳチャンネルセットアップ要請メッセージ
本発明では、方法２のために新たなメッセージ、すなわち、ＭＢＭＳチャンネルセットアップ要請メッセージを定義する。これは、Ｉｕｒインターフェース上のメッセージであって、ＳＲＮＣが、ＵＥが受信しているＭＢＭＳサービスタイプと、この使用者のために設定されるＭＢＭＳ専用チャンネルと、共通チャンネルの情報とを、ＤＲＮＣに通知するためのメッセージである。ＳＲＮＣは、このメッセージを通してＭＢＭＳ専用チャンネル及び共通チャンネルを設定するために必要な全ての情報をＤＲＮＣに知らせる。そして、ＤＲＮＣは、設定しようとするＭＢＭＳチャンネルタイプを決定するために、このＭＢＭＳ使用者の数を再びカウンティングする。このメッセージによって提供されるパラメータに従って対応するＭＢＭＳチャンネルを設定する。
【００５９】
このメッセージは、下記のような構成要素を含む。
【００６０】
◆  ＭＢＭＳサービス識別子（MBMS Service identifier）
２つのパーツ、すなわち、ＡＰＮ及びＩＰマルチキャストアドレスを含む。
【００６１】
◆  ＭＢＭＳ専用チャンネル情報（MBMS dedicated channel information）
主要な内容は、下記の通りである。
※  ダウンリンク伝送組合せフォーマットセット（Downlink transport combination format Set）
※  ダウンリンク専用物理チャンネルタイムスロットフォーマット（Downlink dedicated physical channel timeＳlot format）
※  ダウンリンク周波数拡散コード番号（Downlink frequency Spreading code number）
※  ダウンリンクデータの受信ウィンドー開始点（Start point of downlink data receiving window）
※  ダウンリンクデータの受信ウィンドー終端点（End point of downlink data receiving window）
※  専用伝送チャンネル識別子（Dedicated transfer channel identifier）
※  伝送ソースの統計的状況（Statistical description of transfer Source）
※  伝送チャンネルのフォーマットセット（Transfer channel format Set）
※  伝送ブロックのコードエラー率（Code error rate of transmission block）
【００６２】
◆  共通チャンネル情報（Common channel information）
※  ドライビング無線網制御器の臨時識別子（Drift radio network temporary identifier）
※  伝送ベアラー要請指示（Transfer bearer requirementＳindication）
※  伝送ベアラーロゴ（Transfer bearer logo）
【００６３】
（４．２．２） ＭＢＭＳチャンネルセットアップ応答メッセージ（MBMS channel Setup response message）
ＭＢＭＳを支援するために、本発明で新たに定義されたメッセージ、すなわち、このＭＢＭＳチャンネルセットアップ応答メッセージは、ＤＲＮＣからＳＲＮＣに伝送される応答メッセージである。この対応するＭＢＭＳチャンネルに対応して設定した後、ＤＲＮＣは、ＭＢＭＳチャンネルタイプを使用し、ＲＲＣメッセージを通してＵＥのＭＢＭＳチャンネル構成のために、専用チャンネル又は共通チャンネルに対応する情報をＳＲＮＣにさらに伝送する。
【００６４】
このメッセージは、下記のような構成要素を含む。
【００６５】
◆  ＭＢＭＳサービス識別子（MBMS service identifier）
◆  ＭＢＭＳ専用チャンネル情報（MBMS dedicated channel information） 
これは、選択的なタイプである。ＤＲＮＣがＭＢＭＳサービスのために、伝送チャンネルの設定を決定すると、この情報がこのメッセージに含まれる。共通チャンネルが設定されると、この情報は含まれない。
【００６６】
主要な内容は、下記の通りである。
※  専用伝送チャンネル識別子（Dedicated transfer channel identifier）
※  バインディング識別子（Binding identifier）、すなわち、データ伝送ベアラーのために、ＤＲＮＣによって割り当てられる単一識別子
※  伝送レイヤーアドレス（Transport layer address）
【００６７】
◆  ＭＢＭＳ共通チャンネル情報（MBMS common channel information）
すなわち、選択的なタイプである。ＤＲＮＣがＭＢＭＳサービスのために、共通チャンネルセットアップを決定すると、この情報がこのメッセージに含まれる。専用チャンネルが設定されると、この情報は除外される。
【００６８】
主要な内容は、下記の通りである。
※  ＳＣＣＰＣＨオフセット（SCCPCH offset）
※  ダウンリンクスクランブリングコード（Download Scrambling code）
※  ダウンリンク周波数拡散コード番号（Download frequency Spreading code number）
※  伝送フォーマット組合せセット（Transport format combination Set）
※  ＳＣＣＰＣＨタイムスロットフォーマット（SCCPCH time-slot format）
※  ＦＡＣＨ／ＰＣＨ伝送フォーマットセット（FACH/PCH transport format Set）
【００６９】
（４．２．３） ＭＢＭＳチャンネル情報の問合せメッセージ（MBMS channel information query message）
方法３のために、本発明で新たに定義されたメッセージ、すなわち、ＭＢＭＳチャンネル情報の問合せメッセージは、Ｉｕｒインターフェースのために使用される。これは、ＤＲＮＣでＭＢＭＳを支援するための設定可能なチャンネルタイプを問い合わせるために、このＳＲＮＣからＤＲＮＣに伝送される。
【００７０】
このメッセージは、下記の情報要素を含む。
【００７１】
◆  ＭＢＭＳサービス識別子（MBMS service identifier）
【００７２】
（４．２．４） ＭＢＭＳチャンネル情報報告メッセージ（MBMS channel information report message） 
方法３のために、本発明で新たに定義されたメッセージ、すなわち、このＭＢＭＳチャンネル情報報告メッセージは、ＤＲＮＣがＳＲＮＣに使用される全てのＭＢＭＳサービスタイプを報告するために使用される。
【００７３】
◆  このメッセージは、下記の情報要素を含む。
【００７４】
◆  ＭＢＭＳサービス識別子（MBMS service identifier） 
◆  ＭＢＭＳチャンネルタイプ（MBMS channel type）
ここで、“１” は、専用チャンネルを意味し、“０”は、共通チャンネルを意味する。
【００７５】
（４．２．５） ＭＢＭＳチャンネル情報指示メッセージ（MBMS channel information indication message）
方法４のために、本発明で新たに定義されたメッセージ、すなわち、このＭＢＭＳチャンネル情報指示は、ＤＲＮＣがＳＲＮＣに使用されたＭＢＭＳサービスタイプを報告するのに使用される。
【００７６】
このメッセージは、下記のような情報要素を含む。
【００７７】
◆  ＭＢＭＳサービス識別子（MBMS service identifier）
◆  ＭＢＭＳチャンネルタイプ（MBMS channel Type）
◆  ＭＢＭＳ共通チャンネル情報（MBMS common channel information）
このメッセージは、ＤＲＮＣがＭＢＭＳデータを伝送するために、共通チャンネルを使用する場合、この情報を含む。そうでない場合は、このメッセージは、この情報を含まない。
【００７８】
（４．２．６） ＭＢＭＳサービス要請メッセージ（MBMS service request message）
ＭＢＭＳのために、本発明で新たに定義したメッセージ、すなわち、このＭＢＭＳサービス要請メッセージは、ＳＮＲＣがＭＢＭＳチャンネル情報をＵＥに通知するのに使用される。
【００７９】
このメッセージは、下記の情報要素を含む。
【００８０】
◆  ＭＢＭＳサービス識別子（MBMS service identifier）
◆  ネットワークフィールド識別子（Network field identifier）
◆  ルートフィールド識別子（Route field identifier）
◆  サービスフィールド識別子（Service filed identifier）
◆  Ｉｕシグナリング識別子（Iu Signalling identifier）
◆  グローバルＲＮＣ番号（Global RNC number）
【００８１】
（４．２．７） ＭＢＭＳチャンネル再構成要請メッセージ（MBMS channel re-configuration request message)
ＭＢＭＳのために、本発明で新たに定義したメッセージ、すなわち、このＭＢＭＳチャンネル再構成要請メッセージは、ＳＲＮＣがＵＥにＭＢＭＳチャンネル情報を通知するのに使用される。
【００８２】
このメッセージは、下記の情報要素を含む。
【００８３】
◆  ＭＢＭＳサービス識別子（MBMS service identifier）
◆  チャンネルタイプ（Channel Type）
◆  ＭＢＭＳ共通チャンネル情報（MBMS common channel information）
このメッセージは、ＤＲＮＣがＭＢＭＳデータを伝送するために、共通チャンネルを使用する場合、この情報を含む。そうでない場合は、このメッセージは、この情報を含まない。
【００８４】
◆  ＭＢＭＳ専用チャンネル情報（MBMS dedicated channel information）
このメッセージは、ＤＲＮＣがＭＢＭＳデータを伝送するために、専用チャンネルを使用する場合、この情報を含む。そうでない場合は、このメッセージは、この情報を含まない。
【００８５】
（４．２．８） ＭＢＭＳチャンネル再構成応答メッセージ（MBMS channel re-configuration response message）
ＭＢＭＳのために、本発明で新たに定義したメッセージ、すなわち、このＭＢＭＳチャンネル再構成応答メッセージは、ＵＥによってＭＢＭＳチャンネル再構成が完了することをＳＲＮＣに通知するのに使用される。
【００８６】
このメッセージは、下記の情報要素を含む。
【００８７】
◆  ＭＢＭＳサービス識別子（MBMS service identifier）
【００８８】
以下、本発明による望ましい実施形態を添付図面を参照して詳細に説明する。
【００８９】
方法１：
図１及び図２は、使用者がＤＲＮＣの任意のセルに移動し、ＳＲＮＣは、再び割り当てられない場合、ＭＢＭＳチャンネルタイプスイッチング手順を示す。下記でこの手順を具体的に説明する。
【００９０】
（１） 専用チャンネルから専用チャンネル／共通チャンネルへのスイッチング
ステップ９０２で、ＵＥは、ＣＥＬＬ＿ＤＣＨ状態で存在し、ＤＲＮＣの任意のセルに進入する。現在の標準に従って、ＳＲＮＣは、ＵＥから伝送されたメジャーメント報告により、ＳＲＮＣを再位置させないように決定し、セルハンドオーバー手順を遂行する。ＳＲＮＣは、ＵＥが受信しているＭＢＭＳサービス識別子をＤＲＮＣに通知するために、現在のメッセージフォーマットに基づいて、新たな情報である“ＭＢＭＳサービス識別子”を追加した無線リンクセットアップ要請メッセージをＤＲＮＣに伝送する。
【００９１】
ステップ９０３で、ＤＲＮＣは、このＭＢＭＳサービス識別子に従って使用者が要請したＭＢＭＳサービスの種類を認知するようになり、このサービスに対応する使用者の数を１つ追加することができる。
【００９２】
ステップ９０４で、この使用者がローカルＲＮＣの中でこのサービスを要請した一番目の使用者であれば、ＤＲＮＣは、基幹回線網（以下、“ＣＮ”と称する。）に対するデータチャンネルを設定する。ＤＲＮＣは、このＭＢＭＳ識別子を知らせるために、ＣＮにＭＢＭＳサービス要請メッセージを伝送する。そして、ＣＮは、データチャンネルを設定する役割を遂行する。
【００９３】
ステップ９０５で、ＣＮは、ＤＲＮＣにＭＢＭＳ ＲＡＢ設定又はＲＡＢの割り当て要請メッセージを伝送する。
【００９４】
ステップ９０６で、このデータチャンネルを成功的に設定した後、ＤＲＮＣは、ＭＢＭＳ ＲＡＢ応答又はＲＡＢの割当て応答メッセージをＣＮに伝送する。
【００９５】
ステップ９０７で、ＤＲＮＣは、無線リンクセットアップ応答メッセージをＳＲＮＣに伝送する。このメッセージは、現在のフォーマットに基づいて新たな情報要素、すなわち、ＭＢＭＳチャンネルタイプを追加する。これは、ＤＲＮＣが、ＵＥが位置したこのセルで使用されるＭＢＭＳサービスのチャンネルタイプをＳＲＮＣに通知するためである。
【００９６】
ステップ９０８で、ＳＲＮＣは、ＭＢＭＳチャンネルタイプを分析する。このＵＥが位置したＤＲＮＣのこのセルが専用チャンネルを使用すると、ステップ９１３に進行する。
【００９７】
ステップ９０９で、ＳＲＮＣは、この分析を通じて、このＵＥが位置したＤＲＮＣのこのセルが共通チャンネルを使用するＭＢＭＳチャンネルタイプであることを認知する。ＳＲＮＣは、共通チャンネル情報を報告するために、共通伝送チャンネル資源要請情報（common transport channel resource request information）を通じてＤＲＮＣに通知する。
【００９８】
ステップ９１０で、ＤＲＮＣは、共通伝送チャンネル資源応答メッセージをＳＲＮＣに伝送する。これは、ＭＢＭＳ共通チャンネルパラメータをＳＲＮＣに報告するためである。
【００９９】
ステップ９１１で、ＳＲＮＣの特定のソースセルは、ＵＥの脱退に従って対応するＭＢＭＳサービス使用者の数を１つ減少させる。
【０１００】
ステップ９１２で、ＳＲＮＣは、ＲＲＣメッセージを通じて物理チャンネルの再構成を要請するか、又は、ＭＢＭＳチャンネル再構成メッセージを通じてＭＢＭＳチャンネル情報をＵＥに通知する。
【０１０１】
ステップ９１３で、ＵＥは、このＭＢＭＳチャンネルパラメータがハンドオーバーの前に使用したものと同一でない場合、ＭＢＭＳチャンネルを再構成する。成功すると、成功メッセージをリターンする。ＵＥは、ＭＢＭＳチャンネル再構成の完了を報告するために、ＳＲＮＣにＭＢＭＳチャンネル再構成完了メッセージを伝送する。このとき、セルハンドオーバー手順は完了する。新たなＭＢＭＳチャンネルが専用チャンネルであれば、ＭＢＭＳデータは、Ｉｕｒインターフェースを介してＳＲＮＣからＤＲＮＣを通してＵＥに伝送される。共通チャンネルが使用されると、ＭＢＭＳデータは、ＳＧＳＮによってＤＲＮＣに直接に伝送され、ＤＲＮＣによってＵＥに伝送される。
【０１０２】
ステップ９１４で、ＳＲＮＣは、このソースセルの無線専用リンクを削除する。
【０１０３】
（２） 共通チャンネルから共通チャンネル又は専用チャンネルへのスイッチング
ステップ１０１で、ｎｏｎ-ＣＥＬＬ＿ＤＣＨ状態のＵＥがＤＲＮＣのセルに進入する。現在の標準に従って、ＵＥは、セルアップデート手順の遂行を必要とする。ＵＥは、ＣＥＬＬ＿ＦＡＣＨに遷移し、ＳＲＮＣにセルアップデートメッセージを伝送する。このメッセージフォーマットは、現在標準に定義されているものと同一である。
【０１０４】
ステップ１０２で、ＳＲＮＣは、現在のメッセージフォーマットに“ ＭＢＭＳサービス識別子”を新たに追加した共通伝送チャンネル資源要請メッセージをＤＲＮＣに伝送する。これは、ＵＥが受信しているＭＢＭＳサービス識別子をＤＲＮＣに通知するために使用される。
【０１０５】
ステップ１０３で、ＤＲＮＣは、このＭＢＭＳサービス識別子に従って使用者が要請したＭＢＭＳサービスの種類を認知するようになり、対応するサービス使用者に１つを追加することができる。
【０１０６】
ステップ１０４で、この使用者がローカルＲＮＣでこのサービスを要請した一番目の使用者であれば、ＤＲＮＣは、基幹回線網(ＣＮ)とサービスデータチャンネルを設定し、ＣＮにこのＭＢＭＳサービス識別子を知らせる。ＤＲＮＣは、ＭＢＭＳサービス要請メッセージをＣＮに伝送し、ＣＮは、データチャンネルを設定する機能を遂行する。
【０１０７】
ステップ１０５で、ＣＮは、ＭＢＭＳ ＲＡＢ設定要請又はＲＡＢの割当て要請メッセージをＤＲＮＣに伝送する。
【０１０８】
ステップ１０６で、このデータチャンネルを成功的に設定した後、ＤＲＮＣは、ＭＢＭＳ ＲＡＢ応答又はＲＡＢの割り当て応答メッセージをＣＮに伝送する。
【０１０９】
ステップ１０７で、ＤＲＮＣは、共通伝送チャンネル資源応答メッセージをＳＲＮＣに伝送する。このメッセージは、現在のフォーマットに基づいて新たな情報要素、すなわち、ＭＢＭＳチャンネルタイプが追加される。これは、ＤＲＮＣがこのＵＥが位置したこのセルで使用されるＭＢＭＳサービスのチャンネルタイプをＳＲＮＣに通知するためである。
【０１１０】
ステップ１０８で、ＳＲＮＣは、このＭＢＭＳチャンネルタイプを分析する。このＵＥが位置したＤＲＮＣのこのセルが共通チャンネルを使用すると、直接ステップ１１３を遂行する。
【０１１１】
ステップ１０９で、ＳＲＮＣは、このＭＢＭＳチャンネルタイプの分析からこのＵＥが位置したＤＲＮＣのこのセルが専用チャンネルを使用することを認知し、ＤＲＮＣに無線リンクセットアップ要請メッセージを通じてＤＲＮＣの専用チャンネルを通知するために、ＤＲＮＣにＰｔＰ ＭＢＭＳチャンネル設定を通知する。
【０１１２】
ステップ１１０で、ＤＲＮＣは、Ｎｏｄｅ Ｂと専用無線リンクを設定する。
【０１１３】
ステップ１１１で、リンクを成功的に設定した後、ＤＲＮＣは、成功メッセージをＳＲＮＣへ伝送する。
【０１１４】
ステップ１１２で、ＭＢＭＳデータ伝送のために、ＳＲＮＣとＤＲＮＣとの間にデータリンクベアラーが設定される。
【０１１５】
ステップ１１３で、ＳＲＮＣのソースセルは、このＵＥの移動に従って対応するＭＢＭＳサービス使用者の数を１つ減少させる。
【０１１６】
ステップ１１４で、ＳＲＮＣは、セルアップデート確認メッセージを通じてＭＢＭＳチャンネル情報をＵＥに通知する。
【０１１７】
ステップ１１５で、ＵＥは、ＭＢＭＳチャンネルパラメータがハンドオーバーの前に使用したものと同一でなければ、ＭＢＭＳチャンネルを再構成する。成功すると、成功メッセージ、すなわち、ＭＢＭＳチャンネル再構成応答をリターンする。このとき、セルハンドオーバー手順は完了する。新たなＭＢＭＳチャンネルが専用チャンネルであれば、ＭＢＭＳデータは、Ｉｕｒインターフェースを介してＳＲＮＣからＤＲＮＣを通してＵＥに伝送される。共通チャンネルが使用されると、ＭＢＭＳデータは、ＳＧＳＮによってＤＲＮＣに直接に伝送され、このＤＲＮＣによってＵＥに伝送される。
【０１１８】
方法２：
図３は、ＵＥがＤＲＮＣの任意のセルにハンドオーバーを遂行する場合に変更されるＭＢＭＳチャンネルタイプスイッチング手順を示す。下記でさらに具体的に説明する。
【０１１９】
この手順は、共通チャンネルと共通チャンネルとの間のスイッチング手順である。
【０１２０】
ステップ２０１で、ＳＲＮＣは、セルアップデートメッセージ又はＵＥから受信されたメジャーメント報告に従って、ＳＲＮＣを再位置させないように決定し、セルハンドオーバー又はセルアップデート手順を遂行する。特に、ＭＢＭＳチャンネルスイッチングのために使用されるメッセージと手順は、現在のハンドオーバー手順に影響を与えない範囲の内で追加される。ＳＲＮＣは、ＤＲＮＣにＭＢＭＳチャンネルセットアップ要請情報を伝送する。これは、３つの観点で下記の内容を含む。一番目は、ＤＲＮＣに使用者を容易にカウントさせるためのＭＢＭＳサービスの識別子であり、二番目は、ＭＢＭＳ専用チャンネル情報であり、三番目は、ＭＢＭＳ共通チャンネル情報である。ここで、ＤＲＮＣが共通チャンネル又は専用チャンネルの使用を決定する。
【０１２１】
ステップ２０２で、ＤＲＮＣは、このＭＢＭＳサービス識別子に対応して、この使用者が要請したＭＢＭＳサービスの種類を認知することができ、この対応するサービス使用者の数に１つを追加する。
【０１２２】
ステップ２０３で、この使用者がローカルＲＮＣでこのサービスを要請した一番目の使用者であれば、ＤＲＮＣは、基幹回線網（ＣＮ）とデータチャンネルを設定する。ＤＲＮＣは、ＭＢＭＳ識別子を知らせるために、ＣＮにＭＢＭＳサービス要請メッセージを伝送する。そして、ＣＮは、データチャンネルを設定する機能を遂行する。
【０１２３】
ステップ２０４で、ＣＮは、ＭＢＭＳ ＲＡＢ設定要請又はＲＡＢの割当て要請メッセージをＤＲＮＣに伝送する。
【０１２４】
ステップ２０５で、このデータチャンネルを成功的にセットアップした後、ＤＲＮＣは、ＭＢＭＳ ＲＡＢ設定応答又はＲＡＢの割当て応答メッセージをＣＮに伝送する。
【０１２５】
ステップ２０６で、ＤＲＮＣは、このセルのＭＢＭＳサービス使用者の数に従って、専用チャンネル又は共通チャンネルを設定するか否かを決定する。成功的に設定した後、ＭＢＭＳが専用チャンネルを使用すると、ＤＲＮＣは、専用チャンネル情報をＳＲＮＣに通知する。共通チャンネルが使用されると、ＤＲＮＣは、共通チャンネル情報をＳＲＮＣに通知する。
【０１２６】
ステップ２０７で、ＳＲＮＣは、このＭＢＭＳチャンネルタイプを分析する。このＵＥが位置したＤＲＮＣのこのセルが共通チャンネルを使用すると、ＳＲＮＣは、ステップ２０９に進行する。
【０１２７】
ステップ２０８で、ＳＲＮＣは、このＭＢＭＳチャンネルタイプの分析を通じて、このＵＥが位置したＤＲＮＣのセルが専用チャンネルを使用するかを確認し、このＭＢＭＳデータを伝送するために、ＳＲＮＣとＤＲＮＣとの間にデータリンクベアラーを設定する。
【０１２８】
ステップ２０９で、ＳＲＮＣのセルは、このＵＥの脱退によって対応するＭＢＭＳサービス使用者の数を１つ減少させる。
【０１２９】
ステップ２１０で、ＳＲＮＣは、ＲＲＣメッセージを通じてセルアップデート確認メッセージ、又は、他のＲＲＣメッセージを通じてＵＥのＭＢＭＳチャンネル情報を通知する。
【０１３０】
ステップ２１１で、ＵＥは、ＭＢＭＳチャンネルパラメータがハンドオーバーの前に使用したものと同一でなければ、ＭＢＭＳチャンネルを再構成する。このＭＢＭＳチャンネル再構成が成功すると、成功メッセージは、リターンされる。新たなＭＢＭＳチャンネルが専用チャンネルであれば、ＭＢＭＳデータは、Ｉｕｒインターフェースを介してＳＲＮＣによってＤＲＮＣを通してＵＥに伝送される。共通チャンネルが使用されると、ＭＢＭＳデータは、ＳＧＳＮによってＤＲＮＣに直接に伝送され、このＤＲＮＣによってＵＥに伝送される。
【０１３１】
方法３：
図４は、ＵＥがＤＲＮＣの任意のセルにハンドオーバーを遂行する場合に変更されるＭＢＭＳチャンネルタイプスイッチング手順を示す。下記でさらに具体的に説明する。
【０１３２】
この手順は、共通チャンネルと専用チャンネル間のスイッチング手順である。
【０１３３】
ステップ４０１で、ＵＥが他のセルに進入する場合、異なる状態に従って、ＵＥは、ＳＲＮＣに異なるメッセージ報告を伝送する。
【０１３４】
ステップ４０２で、ＳＲＮＣは、この使用者が受信中であるＭＢＭＳサービスを認知し、ＤＲＮＣにＭＢＭＳサービスのチャンネル情報を問い合わせる。このメッセージは、ＭＢＭＳサービス識別子を含む。これにより、このＭＢＭＳサービス識別子に対応してＤＲＮＣが使用者の数を再びカウンティングし、このＤＲＮＣは、専用チャンネル又は共通チャンネルの支援を決定する。
【０１３５】
ステップ４０３で、ＤＲＮＣは、ＭＢＭＳサービスを支援するためのチャンネルタイプをＳＲＮＣに報告する。
【０１３６】
ステップ４０４で、ＳＲＮＣは、このＤＲＮＣで支援される異なるチャンネルタイプに従って、共通チャンネル又は専用チャンネルを設定するための異なるメッセージを伝送する。専用チャンネルが設定された場合、無線リンクセットアップメッセージが伝送されなければならない。一方、共通チャンネルが設定された場合、共通伝送チャンネル資源要請メッセージが伝送されなければならない。
【０１３７】
ステップ４０５で、ＤＲＮＣは、サービス使用者の数を１つ増加させる。
【０１３８】
ステップ４０６〜ステップ４０８で、この使用者がＭＢＭＳサービスを要請する一番目の使用者であれば、ＤＲＮＣは、これをＭＢＭＳマルチキャストグループに加入させることを要求し、対応するＲＡＢを設定する。
【０１３９】
ステップ４０９で、ＳＲＮＣは、ＤＲＮＣが専用チャンネルを設定するように指示すると、ＤＲＮＣは、このＵＥが位置したセルに無線リンクの設定を要請する。
【０１４０】
ステップ４１０で、ＤＲＮＣは、無線リンク上の情報又は共通チャンネル設定をＳＲＮＣへ通知する。
【０１４１】
ステップ４１１で、ＭＢＭＳが専用チャンネルを通して伝送される場合、Ｉｕｒインターフェースのユーザープレーン（plane）が設定される。
【０１４２】
ステップ４１２で、ＳＲＮＣは、使用者端末が位置したセルの使用者の数を１つ減少させる。
【０１４３】
ステップ４１３で、ＳＲＮＣは、物理チャンネルを再構成することをＵＥに指示し、ＵＥが存在する異なる状態に従う異なるメッセージを伝送する。
【０１４４】
ステップ４１４で、ＵＥは、このＭＢＭＳチャンネル再構成が成功的に完了することをＳＲＮＣに報告する。
【０１４５】
方法４：
下記では、他の使用者の移動又は新たなサービスの登録に従うＭＢＭＳチャンネルタイプのスイッチング手順を示す。下記でさらに具体的に説明する。
【０１４６】
（１） 専用チャンネルから共通チャンネルへのスイッチング
ステップ５０１で、ＤＲＮＣは、新たな使用者がこのＭＢＭＳサービスグループに加入し、ＤＲＮＣのこのセルに転入してこの使用者の数が特定のしきい値を超過する場合、このチャンネルタイプを共通チャンネルにスイッチングするか否かを決定する。
【０１４７】
ステップ５０２で、ＤＲＮＣは、ＵＥが位置したセル領域にＭＢＭＳサービスのための共通チャンネルを設定する。
【０１４８】
ステップ５０３で、ＤＲＮＣは、ＭＢＭＳチャンネル情報指示メッセージを使用してこのチャンネルタイプの変更をＳＲＮＣに通知し、このメッセージに従って共通チャンネル情報セットアップを遂行する。
【０１４９】
ステップ５０４及びステップ５０５で、ＳＲＮＣは、ＵＥのＭＢＭＳチャンネルを再構成し、専用チャンネルから共通チャンネルにこのチャンネルタイプを変更する。
【０１５０】
ステップ５０６〜ステップ５０８で、ＳＲＮＣは、このＭＢＭＳサービスのために構成されたもとの専用チャンネルの削除をＤＲＮＣに通知する。ＤＲＮＣは、このＮｏｄｅ Ｂの専用チャンネル資源を削除し、無線リンク削除応答メッセージをＳＲＮＣに伝送する。
【０１５１】
ステップ５０９で、ユーザープレーン上のＩｕｒインターフェースの伝送ベアラーを解除する。
【０１５２】
（２） 共通チャンネルから専用チャンネルへのスイッチング
ステップ６０１で、ＤＲＮＣは、任意の使用者がこのＭＢＭＳサービスグループから脱退し、このＤＲＮＣのサービスセルから他のセルへ転出するとき、この使用者の数が特定のしきい値より小さい場合、このチャンネルタイプを専用チャンネルにスイッチングするか否かを決定する。
【０１５３】
ステップ６０２で、ＤＲＮＣは、ＭＢＭＳチャンネル情報指示メッセージを使用してこのチャンネルタイプ変更をＳＲＮＣに通知する。
【０１５４】
ステップ６０３からステップ６０５で、ＳＲＮＣは、この使用者のＭＢＭＳサービスのための専用チャンネルの設定をＤＲＮＣに指示する。ＤＲＮＣは、対応する専用無線リンクをＮｏｄｅ Ｂに設定する。
【０１５５】
ステップ６０６で、このＳＲＮＣとＤＲＮＣとの間にＩｕｒインターフェース上のユーザープレーンの伝送が設定される。
【０１５６】
ステップ６０７及びステップ６０８で、ＳＲＮＣは、このＭＢＭＳサービスチャンネル再構成をＵＥに指示する。
【０１５７】
以上、本発明を具体的な実施形態を参照して詳細に説明してきたが、本発明の範囲は上述の実施形態によって限定されるべきではなく、本発明の範囲内で様々な変形が可能であるということは、当該技術分野における通常の知識を持つ者には明らかである。
【図面の簡単な説明】
【０１５８】
【図１】本発明の第１の実施形態に従って、ＣＥＬＬ＿ＤＣＨ状態にある使用者端末が、専用チャンネルから共通チャンネル又は専用チャンネルにＭＢＭＳチャンネルタイプスイッチングを遂行するプロセスを示すフローチャートである。
【図２】本発明の第１の実施形態に従って、ＣＥＬＬ＿ＦＡＣＨ状態にある使用者端末が、共通チャンネルから専用チャンネル又は共通チャンネルにＭＢＭＳチャンネルタイプスイッチングを遂行するプロセスを示すフローチャートである。
【図３】本発明の第２の実施形態に従って、共通チャンネルから専用チャンネルにＭＢＭＳチャンネルタイプスイッチングを遂行するプロセスを示すフローチャートである。
【図４】本発明の第３の実施形態に従って、共通チャンネルから専用チャンネル又は共通チャンネルにＭＢＭＳチャンネルタイプスイッチングを遂行するプロセスを示すフローチャートである。
【図５】本発明の第４の実施形態に従って、専用チャンネルから共通チャンネルにＭＢＭＳチャンネルタイプスイッチングを遂行するプロセスを示すフローチャートである。
【図６】本発明の第４の実施形態に従って、共通チャンネルから専用チャンネルにＭＢＭＳチャンネルタイプスイッチングを遂行するプロセスを示すフローチャートである。
【図７】サービング無線網制御器が再び割り当てられない場合、従来のＩｕｒインターフェースを介してセルアップデート手順が遂行されるプロセスを示す図である。
【図８】サービング無線網制御器が再び割り当てられない場合、従来のＩｕｒインターフェースを介してソフトハンドオーバー手順が遂行されるプロセスを示す図である。
【図９】移動通信システムでＭＢＭＳサービスを提供するためのネットワーク構造を概略的に示す図である。
【符号の説明】
【０１５９】
０１    マルチキャスト放送サービスセンター（Broadcast／Multicast Service Center）
０２    ゲートウェイパケット無線サービス支援ノード（Gateway GPRS Supporting Node）
０３    サービスパケット無線サービス支援ノード（Service GPRS Supporting Node）
０４    ＵＭＴＳ無線アクセスネットワーク（UMTS Terrestrial Radio Access Network）
０５    使用者端末（User Equipment）
０６    ホーム位置登録器（Home Location Register）
０７    Ｕｕ（端末装置と無線アクセスネットワークとの間の無線インターフェース）
【図１】
2005536142.tif 000003
【図２】
2005536142.tif 000004
【図３】
2005536142.tif 000005
【図４】
2005536142.tif 000006
【図５】
2005536142.tif 000007
【図６】
2005536142.tif 000008
【図７】
2005536142.tif 000009
【図８】
2005536142.tif 000010
【図９】
2005536142.tif 000011
【手続補正書】
【提出日】平成17年5月12日(2005.5.12)
【手続補正１】
【補正対象書類名】特許請求の範囲
【補正対象項目名】全文
【補正方法】変更
【補正の内容】
【特許請求の範囲】
【請求項１】
サービング無線網制御器（ＳＲＮＣ）とＩｕｒインターフェースを介して接続されているドリフト無線網制御器（ＤＲＮＣ）の任意のセルに、マルチキャストマルチメディア放送サービス（ＭＢＭＳ）を要請した使用者端末（ＵＥ）が移動する場合における、ＭＢＭＳのポイント対ポイント（ＰｔＰ）チャンネル及びポイント対マルチポイント（ＰｔＭ）チャンネルのためのチャンネルタイプスイッチング方法であって、
前記ＤＲＮＣが共通チャンネルと専用チャンネルとの間のチャンネルタイプスイッチングの遂行を決定するステップと、
前記ＤＲＮＣが決定されたＭＢＭＳチャンネルタイプを前記ＳＲＮＣに通知するステップと、
前記ＭＢＭＳサービスを要請した使用者端末に前記決定されたＭＢＭＳチャンネルタイプでＭＢＭＳデータを伝送するステップと、
を含むことを特徴とする方法。
【請求項２】
前記チャンネルタイプスイッチングは、少なくとも前記ＭＢＭＳサービスを要請した使用者端末の数に基づいて決定されることを特徴とする請求項１記載の方法。
【請求項３】
前記チャンネルタイプスイッチングは、
前記ＳＲＮＣが前記少なくとも１つ以上のＭＢＭＳサービス識別子を含む無線リンク設定要請メッセージ（radio rink setup request message）を前記ＤＲＮＣに伝送するステップをさらに含むことを特徴とする請求項１記載の方法。
【請求項４】
前記チャンネルタイプスイッチングは、
前記ＳＲＮＣが任意の無線リンク設定を要請するために任意のメッセージをＤＲＮＣへ伝送するステップと、
前記ＤＲＮＣが少なくとも前記ＭＢＭＳサービスを要請した使用者端末の数を考慮してチャンネルタイプを決定し、前記決定されたチャンネルタイプを前記ＳＲＮＣに伝送するステップと、
前記使用者端末にＭＢＭＳサービスチャンネルの再構成を通知するステップと、をさらに含むことを特徴とする請求項１記載の方法。
【請求項５】
前記チャンネルタイプスイッチングは、
前記ＳＲＮＣがＤＲＮＣにＭＢＭＳサービスタイプを問い合わせるためのメッセージを伝達するステップと、
前記ＤＲＮＣが設定しようとするチャンネルタイプを決定し、前記設定されたＭＢＭＳチャンネルタイプのパラメータを前記ＳＲＮＣに伝達するステップと、
前記ＳＲＮＣが専用チャンネル設定を完了するか、又は、前記ＤＲＮＣから共通チャンネル情報を獲得するステップと、
前記ＳＲＮＣがチャンネルスイッチングを完了するために、無線資源制御（ＲＲＣ）メッセージを通じてＭＢＭＳチャンネル再構成を使用者端末に通知するステップと、をさらに含むことを特徴とする請求項１記載の方法。
【請求項６】
前記ＳＲＮＣから前記ＤＲＮＣに伝達される前記メッセージは、前記ＤＲＮＣが使用者端末の数をカウントするための、前記使用者端末が受信しているＭＢＭＳサービス識別子を含むことを特徴とする請求項３乃至請求項５のいずれか１項記載の方法。
【請求項７】
前記ＵＥがＤＲＮＣで前記サービスを要請した一番目の加入者であれば、前記ＤＲＮＣは、基幹回線網とのＲＡＢ接続を遂行するステップを含むことを特徴とする請求項３乃至請求項５のいずれか１項記載の方法。
【請求項８】
マルチキャストマルチメディア放送サービス（ＭＢＭＳ）のポイント対ポイント（ＰｔＰ）チャンネル及びポイント対マルチポイント（ＰｔＭ）チャンネルのための、無線網制御器のチャンネルタイプスイッチング方法であって、
ＭＢＭＳチャンネルタイプを決定するために、任意のセルの使用者端末の数を確認するステップと、
前記ＭＢＭＳサービスを要請した前記使用者端末の数と任意のしきい値を比較し、前記ＭＢＭＳチャンネルタイプを決定するステップと、
前記変更されたＭＢＭＳチャンネルタイプをサービング無線網制御器（ＳＲＮＣ）に報告するステップと、
を含むことを特徴とする方法。
【請求項９】
前記ＳＲＮＣは、ドリフト無線網制御器（ＤＲＮＣ）からＭＢＭＳチャンネルタイプを受信し、前記セルの前記使用者端末にチャンネル再構成要請メッセージを伝送するステップをさらに含むことを特徴とする請求項８記載の方法。
【請求項１０】
マルチキャストマルチメディア放送サービス（ＭＢＭＳ）のポイント対ポイント（ＰｔＰ）チャンネル及びポイント対マルチポイント（ＰｔＭ）チャンネルのためのチャンネルタイプスイッチング方法であって、
サービング無線網制御器（ＳＲＮＣ）がドリフト無線網制御器（ＤＲＮＣ）に無線リンクセットアップメッセージを伝送するステップと、
前記ＤＲＮＣが前記無線リンクセットアップメッセージを受信して任意のＭＢＭＳチャンネルタイプを前記ＳＲＮＣに伝送するステップと、
前記ＳＲＮＣが所定のメッセージを通じて前記ＵＥが要請したＭＢＭＳサービスのＭＢＭＳチャンネルタイプを伝送するステップと、
前記ＵＥが前記ＭＢＭＳチャンネルタイプを受信するステップと、
前記ＭＢＭＳチャンネルタイプを使用してＭＢＭＳチャンネルを通してＭＢＭＳデータを受信するステップと、を含んでおり、前記ＭＢＭＳチャンネルタイプは、複数の使用者端末によって同時に受信される専用チャンネル又は共通チャンネルのうちの１つであることを特徴とする方法。
【請求項１１】
前記ＳＲＮＣから前記ＤＲＮＣに伝送される前記メッセージは、ＭＢＭＳサービス識別子を含むことを特徴とする請求項１０記載の方法。
【請求項１２】
使用者端末（ＵＥ）がドリフト無線網制御器（ＤＲＮＣ）の制御下にある任意のセルに移動する場合に、前記ＤＲＮＣを通して基幹回線網（ＣＮ）に対するマルチキャストマルチメディア放送サービス（ＭＢＭＳ）を設定するためのデータ通信チャンネルを設定する方法であって、
サービング無線網制御器（ＳＲＮＣ）が前記ＤＲＮＣに任意のメッセージを伝送するステップと、
前記ＤＲＮＣがＭＢＭＳサービス要請メッセージを前記ＣＮに伝送するステップと、
前記ＣＮが前記ＤＲＮＣとのデータ接続のセットアップを要請するステップと、
前記ＤＲＮＣが前記基幹回線網に応答メッセージを伝送するステップと、
を含むことを特徴とする方法。
【請求項１３】
前記ＳＲＮＣから前記ＤＲＮＣに伝送するメッセージは、ＭＢＭＳサービス識別子を含むことを特徴とする請求項１２記載の方法。
【手続補正２】
【補正対象書類名】明細書
【補正対象項目名】全文
【補正方法】変更
【補正の内容】
【発明の詳細な説明】
【技術分野】
【０００１】
本発明は、マルチキャストマルチメディア放送サービス（Multimedia Broadcast and Multicast Service；以下、ＭＢＭＳと称する。）を提供する移動通信システムに関し、特に、上記マルチキャストマルチメディア放送サービスによるポイント対ポイント（Point-to-Point；ＰｔＰ）チャンネルとポイント対マルチポイント（Point-to-MultiPoint；ＰｔＭ）チャンネルとをチャンネルスイッチングする方法に関する。
【背景技術】
【０００２】
マルチキャストマルチメディア放送サービスは、第３世代移動通信システムにおいて、新たに提案されたポイント対マルチポイント（以下、‘ＰｔＭ’ と称する。）サービスである。ＭＢＭＳサービスで使用されるチャンネルタイプは、サービス使用者の数に従うポイント対ポイント（以下、‘ＰｔＰ’ と称する。）チャンネル方式、及びＰｔＭチャンネル方式がある。現在のＰｔＰチャンネルサービス方式は、任意の使用者が任意の新たなセル、すなわち、目的地セルに移動する場合、上記使用者端末が位置したソースセルから上記目的地セルにハンドオーバーを遂行するときに使用されるチャンネル方式である。現在のチャンネルハンドオーバーは、すべてＰｔＰチャンネル方式に基づいていると共に、上記チャンネル方式による特性は変わらない。上記ＭＢＭＳサービスにおいて、セルの変更は、結果としてチャンネル特性の変化をもたらす。
【０００３】
本発明を更に詳しく説明するために、移動通信システムにおいてＭＢＭＳサービスを提供するためのネットワーク構造を図９を参照して説明する。
【０００４】
ＭＢＭＳネットワークは、パケット無線サービス支援ノード（General Packet Radio service；以下、‘ＧＰＲＳ’と称する。）である基幹回線網（core network）に基づいて、新たなネットワークの構成を追加した構造を有する。マルチキャスト放送サービスセンター（Broadcast／Multicast Service Center；以下、‘ＢＭ−ＳＣ’と称する。）（０１）は、ＭＢＭＳシステムのサービス制御センターである。ゲートウェイパケット無線サービス支援ノード（Gateway GPRS Supporting Node；以下、‘ＧＧＳＮ’と称する。）（０２）及びサービスパケット無線サービス支援ノード（Service GPRS Supporting Node；以下、‘ＳＧＳＮ’と称する。）（０３）は、ＭＢＭＳサービス伝送ネットワークで構成され、データ伝送のためのルート(route)を提供する。ホーム位置登録器（Home Location Register；以下、‘ＨＬＲ’と称する。）（０６）は、使用者端末に関連したデータを貯蔵し、使用者認証のようなサービスを提供する。ＵＭＴＳ無線アクセスネットワーク（UMTS Terrestrial Radio Access Network；以下、‘ＵＴＲＡＮ’と称する。）（０４）は、無線インターフェース上でＭＢＭＳサービスのための無線資源を提供する。Ｕｕ（０７）は、端末装置と無線アクセスネットワークとの間の無線インターフェースを指す。使用者端末（User Equipment；以下、‘ＵＥ’と称する。）（０５）は、データを受信する端末装置を意味する。上記ＭＢＭＳサービスで使用される無線資源は、１つの使用者のための専用資源ではなく、複数の使用者によって共有される。
【０００５】
従来技術による移動通信システムにおいては、同一のＳＧＳＮに位置するが、相互に異なるＲＮＣのセル間のハンドオーバーをＵＥが遂行する場合、サービング無線網制御器（Serving RNC；以下、‘ＳＲＮＣ’と称する。）がＳＲＮＣを再び割り当てるか否かを決定する。ＳＲＮＣの再割当てが行われないと、データ及びシグナリングストリームは、Ｉｕｒインターフェースを介してドリフト無線網制御器（Drift RNC；以下、‘ＤＲＮＣ’と称する。）に伝送される。その後、上記ＤＲＮＣからＵＥに伝送される。このようなハンドオーバー手順で、上記ＵＥの位置に基づく相異なる無線接続状態に従って相互に異なる手順が遂行される。
【０００６】
アイドル状態であるＣＥＬＬ＿ＦＡＣＨ（cell_Forward Access Channel）、ＣＥＬＬ＿ＰＣＨ（cell_Paging Channel）、ＵＲＡ＿ＰＣＨ（UTRAN Registration Area_Paging Channel）状態で、ＵＥがＳＲＮＣの１つのセルから他のＲＮＣの任意のセルに移動するとき、上記目的地ＲＮＣは、ＤＲＮＣと称する。このとき、ＵＥは、ＤＲＮＣにセルアップデート（cell update）メッセージを伝送する。そして、ＤＲＮＣは、Ｉｕｒインターフェースを介してセルアップデートメッセージをＳＲＮＣに伝達する。その後、ＳＲＮＣは、ＤＲＮＣの上記セルの共通資源情報を獲得し、上記情報をＵＥに通知するために、ＤＲＮＣと通信する。図７は、上記セルアップデート手順を示し、これは、下記のように説明される。
【０００７】
ステップ６０１で、ＵＥが任意のセルを再び選択した後、無線資源制御（radio resource control；以下、‘ＲＲＣ’ と称する。）プロトコルを用いて共通制御チャンネル（common control channel；以下、‘ＣＣＣＨ’と称する。）を介してＤＲＮＣにセルアップデートメッセージを伝送する。
【０００８】
ステップ６０２で、ＤＲＮＣは、ＵＥにＤＲＮＣ無線ネットワーク臨時識別子（DRNC-Radio Network Temporary Identifier；以下、‘Ｄ−ＲＮＴＩ’と称する。）を割り当て、ＳＲＮＣに無線ネットワークサブシステムアプリケーションパーツ（radio network subsystem application part；以下、‘ＲＮＳＡＰ’と称する。）を使用してアップリンクシグナリング伝送指示メッセージを伝送する。
【０００９】
ステップ６０３で、ＳＲＮＣは、ＳＲＮＣの再割当てを遂行するか否かを決定し、共通伝送チャンネル資源初期化要請メッセージ（common transport channel resource initialization request message）をＤＲＮＣに伝送する。
【００１０】
ステップ６０４で、ＤＲＮＣは、共通伝送チャンネル初期化資源応答（common transport channel resource initialization response）メッセージを通して共通チャンネルの情報をＳＲＮＣに知らせる。
【００１１】
ステップ６０５で、ＳＲＮＣは、アクセスリンク制御アプリケーションパーツ（access link control application part；以下、‘ＡＬＣＡＰ’と称する。）を使用してＩｕｒインターフェースを介してデータベアラーを設定する。
【００１２】
ステップ６０６で、ＳＲＮＣは、ＵＥに上記新たなセルの共通チャンネル情報及び新たなＵＥ識別子を知らせるために、ＲＲＣプロトコルを用いて専用制御チャンネル（dedicated control channel；以下、‘ＤＣＣＨ’と称する。）を介してセルアップデート確認メッセージ（cell update confirmation message）を伝送する。
【００１３】
ステップ６０７で、ＵＥは、上記ＤＣＣＨを通してセルアップデート手順が完了することをＳＲＮＣに応答する。
【００１４】
ステップ６０８で、ＳＲＮＣは、ＲＮＳＡＰを使用して共通伝送チャンネル資源メッセージを伝送し、もとのセル（original cell）における上記使用者の無線資源を削除する。
【００１５】
ＣＥＬＬ＿ＤＣＨ（cell_ Dedicated Channel）状態で、ＵＥは、他のＲＮＣの任意のセルに移動する。ＳＲＮＣは、ＵＥによって報告されたメジャーメント（measurement）報告に従って他のセルにハンドオーバーを遂行するか否かを決定し、専用無線リンク構成をＤＲＮＣに通知する。ＤＲＮＣは、無線リンク構成を完了した後、ＵＥがハンドオーバーしてからのＵＥの無線リンク状態を通知するために、ＳＲＮＣに伝送する。
【００１６】
図８は、このような状態でセルハンドオーバーを遂行する手順を示す。
【００１７】
ステップ７０１で、ＳＲＮＣは、ＤＲＮＣの新たなセルに位置したＵＥのための新たな専用無線リンク（ＲＬ）を設定するか否かを決定する。ＳＲＮＣは、ＲＮＳＡＰを使用してＤＲＮＣに無線リンク設定要請メッセージを伝送し、専用チャンネルの情報をＤＲＮＣに通知する。
【００１８】
ステップ７０２及び７０３で、ＤＲＮＣは、Ｎｏｄｅ Ｂアプリケーションパーツ(Node B application part；以下、‘ＮＢＡＰ’と称する。)を用いてＤＲＮＣの任意のＮｏｄｅ Ｂと新たな無線専用リンクを設定する。
【００１９】
ステップ７０４で、ＤＲＮＣは、ＳＲＮＣに無線リンク追加応答メッセージを伝送する。
【００２０】
ステップ７０５で、ＳＲＮＣは、Ｉｕｒインターフェースを設定し、ＡＬＣＡＰを用いてＩｕｒインターフェースデータベアラーを設定する。ステップ７０６及び７０７で、ＤＣＨフレームパルス（DCH frame pulse）（ＦＰ）を用いて、ダウンリンクとアップリンクとのデータフレームの同期を合わせる。
【００２１】
ステップ７０８及び７０９で、ＳＲＮＣは、ＲＲＣを用いてＤＣＣＨを通してアクティブセットアップデートメッセージを伝送してＵＥに新たな専用リンクが追加されることを通知する。ＵＥは、上記アクティブセットアップデートメッセージに対する応答としてアクティブセットアップデート完了メッセージを伝送する。

【００２２】
従来の移動通信システムにおいて、使用者のシグナリング及びデータは、ＳＲＮＣを通してＤＲＮＣに伝送され、ＤＲＮＣがこれを使用者に伝送する。ハンドオーバーの前後に、上記使用者によって使用されるチャンネルタイプは変更されない。例えば、専用チャンネルから専用チャンネルに変更されると仮定する。ＭＢＭＳは、新たに提案されたＰｔＭサービスである。ＭＢＭＳサービスは、データの伝送のために、ＰｔＰチャンネル方式又はＰｔＭチャンネル方式が使用されることができる。ＲＮＣは、任意のセルの同一の種類のＭＢＭＳサービスを要請した使用者の数を考慮してチャンネルタイプを決定する。このとき、上記同一のＭＢＭＳサービスを要請した使用者の数が少ない場合、上記ＭＢＭＳサービスのためのチャンネルタイプは、ＰｔＰ方式である。一方、上記ＭＢＭＳサービスを要請した使用者の数が設定された特定のしきい値を超過する場合、上記ＭＢＭＳチャンネルタイプは、ＰｔＭ方式である。
【００２３】
従って、使用者がセル再選択手順に従ってＳＲＮＣの任意のセルからＤＲＮＣの任意のセルに移動する場合、ＳＲＮＣは、再び割り当てられないと仮定する。ＤＲＮＣは、上記セルで同一のＭＢＭＳサービスを要請した使用者端末の数を考慮してＭＢＭＳチャンネルタイプを決定する。これは、結果としてハンドオーバーの前後で、使用者によって使用されるＭＢＭＳチャンネルタイプが違うものになる可能性がある。そのため、使用者によって使用されるＭＢＭＳチャンネルをＰｔＰチャンネルからＰｔＭチャンネルに再構成する必要がある。しかしながら、従来では、このようなハンドオーバー技術が考慮されなかった。
【００２４】
ＵＥが上記セルハンドオーバー手順を完了した後、使用者が上記セルに転入するか、または他のセルに転出して上記ＭＢＭＳサービスの使用者の数が変更されることにより、あるいは、他の使用者が上記ＭＢＭＳサービスに加入するか、または同一のＭＢＭＳサービスを脱退して上記ＭＢＭＳサービスの使用者の数が変更されることにより、使用者の数が設定されたしきい値を超過する場合、上記ＭＢＭＳチャンネルタイプは変更される。現在の通信技術は、ＳＲＮＣが自分のセルのＭＢＭＳチャンネルタイプの変更を通知する方法、そして、ＳＲＮＣが上記セルの内の全ての使用者にＭＢＭＳチャンネル再構成を通知する方法が提案されなかった。
【００２５】
ＲＮＣは、ＭＢＭＳサービスを要請した使用者の数をカウンティングする機能を遂行する。使用者のセルハンドオーバーに従って、ＳＲＮＣの任意のセルからＤＲＮＣの任意のセルへのハンドオーバーが遂行され、ＳＲＮＣの再割当てが遂行されない場合において、解決すべき他の問題点は、ＳＲＮＣがＤＲＮＣに特定のセルの内のＭＢＭＳサービス使用者の数を再びカウンティングするようにするために、ＤＲＮＣに上記使用者端末が要請したＭＢＭＳサービスタイプを通知しなければならないということである。
【００２６】
上述したように、ＭＢＭＳサービスは、新たなサービス形態であって、従来のハンドオーバー技術は、上記ＭＢＭＳサービスに完全に適用することができない、という問題点があった。
【発明の開示】
【発明が解決しようとする課題】
【００２７】
上記背景に鑑みて、本発明の目的は、ＵＥが他のＲＮＣにハンドオーバーを遂行し、ＳＮＲＣが再び割当てられない場合、使用者が受信中であるＭＢＭＳサービスのためのチャンネルスイッチングを遂行するハンドオーバー方法を提供することにある。
【００２８】
本発明の他の目的は、ＵＥが移動しない場合に、他のＵＥが同一のＭＢＭＳサービスに加入するかまたは脱退することにより、あるいは、特定のセルに他のＵＥが転入するかまたは他のセルに転出することにより、ＭＢＭＳチャンネルタイプが変更されるとき、ＭＢＭＳチャンネルタイプスイッチングを遂行するハンドオーバー方法を提供することにある。
【課題を解決するための手段】
【００２９】
このような目的を達成するために、本発明の実施形態によると、サービング無線網制御器（ＳＲＮＣ）とＩｕｒインターフェースを介して接続されているドリフト無線網制御器（ＤＲＮＣ）の任意のセルに、マルチキャストマルチメディア放送サービス（ＭＢＭＳ）を要請した使用者端末（ＵＥ）が移動する場合における、上記ＭＢＭＳのポイント対ポイント（ＰｔＰ）チャンネル及びポイント対マルチポイント（ＰｔＭ）チャンネルのためのチャンネルタイプスイッチング方法であって、上記ＤＲＮＣが共通チャンネルと専用チャンネルとの間のチャンネルタイプスイッチングの遂行を決定するステップと、上記ＤＲＮＣが決定されたＭＢＭＳチャンネルタイプを上記ＳＲＮＣに通知するステップと、上記ＭＢＭＳサービスを要請した使用者端末に上記決定されたＭＢＭＳチャンネルタイプでＭＢＭＳデータを伝送するステップと、を含むことを特徴とする。
【００３０】
本発明の他の実施形態によると、ＭＢＭＳのポイント対ポイント（ＰｔＰ）チャンネル及びポイント対マルチポイント（ＰｔＭ）チャンネルのためのチャンネルタイプスイッチング方法であって、ＭＢＭＳチャンネルタイプを決定するために、任意のセルの使用者端末の数を確認するステップと、上記ＭＢＭＳサービスを要請した上記使用者端末の数と任意のしきい値を比較し、上記ＭＢＭＳチャンネルタイプを決定するステップと、上記変更されたＭＢＭチャンネルタイプをサービング無線網制御器（ＳＲＮＣ）に報告するステップと、を含むことを特徴とする。
【００３１】
本発明のさらなる実施形態によると、ＭＢＭＳポイント対ポイント（ＰｔＰ）チャンネル及びポイント対マルチポイント（ＰｔＭ）チャンネルのためのチャンネルタイプスイッチング方法であって、サービング無線網制御器（ＳＲＮＣ）が無線リンクセットアップメッセージをドリフト無線網制御器（ＤＲＮＣ）に伝送するステップと、上記ＤＲＮＣが上記無線リンクセットアップメッセージを受信して任意のＭＢＭＳチャンネルタイプを上記ＳＲＮＣに伝送するステップと、上記ＳＲＮＣが所定のメッセージを通じて上記ＵＥが要請したＭＢＭＳサービスのＭＢＭＳチャンネルタイプを伝送するステップと、前記ＵＥが前記ＭＢＭＳチャンネルタイプを受信するステップと、前記ＭＢＭＳチャンネルタイプを使用してＭＢＭＳチャンネルを通してＭＢＭＳデータを受信するステップと、を含んでおり、前記ＳＲＮＣが所定のメッセージを通じて前記ＵＥが要請したＭＢＭＳサービスのＭＢＭＳチャンネルタイプを伝送するステップと、前記ＵＥが前記ＭＢＭＳチャンネルタイプを受信するステップと、前記ＭＢＭＳチャンネルタイプを使用してＭＢＭＳチャンネルを通してＭＢＭＳデータを受信するステップと、を含んでおり、上記ＭＢＭＳチャンネルタイプは、複数の使用者端末によって同時に受信される専用チャンネル又は共通チャンネルのうちの１つであることを特徴とする。
【００３２】
本発明のもうひとつの実施形態によると、使用者端末（ＵＥ）がドリフト無線網制御器（ＤＲＮＣ）の制御下にある任意のセルに移動する場合に、上記ＤＲＮＣを通して基幹回線網（ＣＮ）に対するマルチキャストマルチメディア放送サービス（ＭＢＭＳ）を設定するためのデータ通信チャンネルを設定する方法であって、サービング無線網制御器（ＳＲＮＣ）が上記ＤＲＮＣに任意のメッセージを伝送するステップと、上記ＤＲＮＣがＭＢＭＳサービス要請メッセージを上記ＣＮに伝送するステップと、上記ＣＮが前記ＤＲＮＣとのデータ接続の設定を要請するステップと、上記ＤＲＮＣが上記ＣＮに応答メッセージを伝送するステップと、を含むことを特徴とする。
【発明の効果】
【００３３】
本発明は、移動端末のセルハンドオーバーを考慮してマルチキャストマルチメディア放送サービスを支援する。すなわち、移動端末の移動性を考慮してＭＢＭＳサービスを支援し、これにより、制限されている無線資源を効率的に使用することができる、という長所を有する。
【発明を実施するための最良の形態】
【００３４】
以下、本発明による好適な一実施形態について添付した図面を参照しつつ詳細に説明する。下記の説明において、本発明の要旨のみを明瞭にする目的で、関連した公知の機能又は構成に関する具体的な説明は省略する。
【００３５】
本発明は、ＵＥがＤＲＮＣの任意のセルに移動し、ＳＲＮＣが再び割り当てられない場合、ＭＢＭＳチャンネルタイプスイッチングの問題を解決するための多様な方法を提案する。
【００３６】
一番目の方法は、現存するメッセージを変更してＭＢＭＳチャンネルスイッチングを実現するための現在のセルハンドオーバー手順に使用する。４個のメッセージが上記手順を完了することができる。さらに、現存するメッセージを変更するに従って、ＲＮＣは、使用者端末の移動中にもＭＢＭＳサービス使用者端末の数を正確にカウントすることができる。
【００３７】
二番目の方法は、２つの新たなメッセージを追加してセルハンドオーバーのための現存するメッセージを変更せずに、ＭＢＭＳチャンネルスイッチングを遂行する。上記二番目の方法は、現在のハンドオーバー手順に何の影響も与えない。そして、上記専用チャンネルから共通チャンネルへのスイッチング、及び共通チャンネルから専用チャンネルへのスイッチングは、上記手順と同様に実現される。
【００３８】
三番目の方法は、セルハンドオーバーのために、現存するメッセージを変更せず、Ｉｕｒインターフェース上の現存するメッセージと組み合わせるだけではなく、新たに追加されたメッセージを通してＭＢＭＳチャンネルスイッチングを完了する。
【００３９】
Ｉｕｒインターフェースが存在し、上記セルの他のＵＥが転入／転出するか、または、上記ＭＢＭＳサービスに加入／脱退する場合、上記ＭＢＭＳチャンネルタイプは変更される。このような状況は、上記ＵＥがスタティック状態（セルハンドオーバーを遂行しない）であるときに、ＭＢＭＳチャンネルスイッチングを完了する方法に該当する。本発明は、次のような四番目の方法を提案して上記問題を解決しようとする。
【００４０】
四番目の方法は、Ｉｕｒインターフェース上に１つの新たなメッセージを追加する。このとき、ＤＲＮＣは、ＳＲＮＣに上記ＭＢＭＳチャンネルタイプの変更を通知する。上記チャンネルタイプが専用チャンネルに変更される場合、ＳＲＮＣは、上記ＵＥのために、無線専用リンクとＩｕｒ ＭＢＭＳ専用データベアラーを設定する。さらに、ＳＲＮＣは、上記ＵＥにＭＢＭＳチャンネル情報を通知する機能を遂行する。上記ＭＢＭＳチャンネルタイプが専用チャンネルから共通チャンネルに変更されると、ＤＲＮＣは、新たに追加されたメッセージを通してＭＢＭＳ共通チャンネル情報をＳＲＮＣに知らせ、ＳＲＮＣは、ＵＥにＭＢＭＳチャンネル再構成を通知する。
【００４１】
（１） 移動中の状況でのチャンネルタイプスイッチング
方法１：
（１．１） 専用チャンネルから共通チャンネルまたは専用チャンネルへのスイッチング専用チャンネルから専用チャンネルへのスイッチングに従うチャンネル設定手順は、基本的に、現在の標準化で記載したことと同一である。
【００４２】
専用チャンネルから共通チャンネルへのスイッチングに従うチャンネル設定手順は、専用チャンネル及び共通チャンネルのための設定手順を組み合わせる。一番目に、ＳＲＮＣは、ＤＲＮＣに専用チャンネル設定を要請し、専用チャンネルを設定するための関連情報及び特定の使用者によって受信されるＭＢＭＳサービス識別子をＤＲＮＣに知らせる。ＤＲＮＣは、上記ＭＢＭＳサービス識別子に対応して上記ＭＢＭＳ使用者の数を再びカウンティングする。このとき、上記使用者端末の数が任意のしきい値より大きい場合、ＤＲＮＣは、上記ＭＢＭＳサービスのために専用チャンネルを設定することができず、共通チャンネルを設定することを、応答メッセージを通してＳＲＮＣに知らせる。ＳＲＮＣが上記チャンネルタイプの変更を認知した後、ＳＲＮＣは、共通チャンネルを設定するための要請メッセージをＤＲＮＣにさらに伝送する。その後、ＤＲＮＣは、共通チャンネル情報をＳＲＮＣに報告する。ＳＲＮＣが上記共通チャンネル情報を獲得した後、ＳＲＮＣは、上記新たな共通チャンネルの特性をＵＥに通知する。
【００４３】
（１．２） 共通チャンネルから専用チャンネル又は共通チャンネルへのスイッチング共通チャンネルから専用チャンネルへのスイッチングに従うチャンネル設定手順は、基本的に現在の標準化で記載したことと同一である。
【００４４】
共通チャンネルから専用チャンネルへのスイッチングに従うチャンネル設定手順は、専用チャンネル設定手順及び共通チャンネルのための設定手順を組み合わせる。
【００４５】
上記設定手順は、下記の通りである。まず、ＳＲＮＣは、ＤＲＮＣに共通チャンネル設定を要請し、上記ＵＥによって受信されるＭＢＭＳサービス識別子をＤＲＮＣに知らせる。ＤＲＮＣは、上記ＭＢＭＳサービス識別子に対応して上記ＭＢＭＳ使用者の数を再びカウンティングする。このとき、上記使用者端末の数が設定されたしきい値より小さいか又は同じである場合、ＤＲＮＣは、上記ＭＢＭＳサービスのために共通チャンネルを設定することができず、専用チャンネルを設定することを、応答メッセージを通してＳＲＮＣに知らせる。ＳＲＮＣは、上記チャンネルタイプの変更を認知した後、専用チャンネルを設定するための要請メッセージをＤＲＮＣにさらに伝送する。その後、ＤＲＮＣは、専用チャンネル情報をＳＲＮＣに報告する。ＳＲＮＣは、上記専用チャンネル情報を獲得した後、上記新たな専用チャンネルの特性をＵＥに通知する。
【００４６】
方法２：
ＳＲＮＣは、セルアップデートメッセージを受信するか、メジャーメント報告を受信した後、新たなセルへのハンドオーバーを遂行するか否かを決定する。ＳＲＮＣは、ＭＢＭＳサービス識別子、ＭＢＭＳ専用チャンネル情報、及び共通チャンネル情報を所定の組み合わせられたメッセージを通してＤＲＮＣに知らせる。ＤＲＮＣは、上記ＭＢＭＳサービス識別子に対応して上記ＭＢＭＳ使用者の数を再びカウンティングする。ＤＲＮＣは、上記使用者の数に従って専用チャンネルを設定するか、又は、共通チャンネルを設定するかを決定し、ＳＲＮＣから伝送されたチャンネル情報に従って対応するチャンネルを設定する。上記チャンネルが成功的に設定された後、ＤＲＮＣは、対応する共通チャンネル又は専用チャンネルパラメータをＳＲＮＣに報告する。その後、ＳＲＮＣは、ＲＲＣメッセージを通してＵＥにＭＢＭＳチャンネル再構成を知らせる。
【００４７】
方法３：
ＳＲＮＣは、セルアップデートメッセージを受信するか、またはメジャーメント報告を受信した後、新たなセルへのハンドオーバーを決定する。ＳＲＮＣは、ＤＲＮＣにＭＢＭＳチャンネルタイプを問い合わせる。上記メッセージは、ＵＥが受信中のＭＢＭＳサービス識別子で構成される。ＤＲＮＣは、上記ＭＢＭＳサービス識別子に対応して上記ＭＢＭＳ使用者の数を再びカウンティングする。このとき、ＤＲＮＣは、上記ＭＢＭサービス使用者の数を考慮して設定するためのＭＢＭＳチャンネルタイプを決定し、上記ＭＢＭＳチャンネルタイプが専用チャンネルであるか、又は、共通チャンネルであるかをＳＲＮＣに報告する。専用チャンネルが使用されると、ＳＲＮＣは、対応する専用チャンネル及びＩｕｒ専用データベアラーを設定する。一方、共通チャンネルが使用されると、ＳＲＮＣは、ＭＢＭＳ共通チャンネル情報を要請するメッセージをＤＲＮＣに伝送し、ＲＲＣメッセージを通してＵＥにＭＢＭＳチャンネル再構成を知らせる。
【００４８】
（２） 移動中でない状況でのチャンネルタイプスイッチング
方法４：
「専用チャンネルから共通チャンネルへのスイッチング」
ＤＲＮＣは、ＭＢＭＳ使用者の数をカウンティングする。このとき、上記使用者の数が特定のしきい値を超過すると、ＤＲＮＣは、共通チャンネルの設定を決定する。
【００４９】
ＤＲＮＣは、共通チャンネル情報をＳＲＮＣに通知し、上記ＳＲＮＣは、ＵＥにチャンネル再構成を通知する。
【００５０】
「共通チャンネルから専用チャンネルへのスイッチング」
ＤＲＮＣは、ＭＢＭＳ使用者の数をカウンティングする。このとき、上記使用者の数が特定のしきい値より小さいか又は同じであると、ＤＲＮＣは、専用チャンネルの設定を決定する。
【００５１】
ＤＲＮＣは、これをＳＲＮＣに通知し、ＳＲＮＣは、ＭＢＭＳ専用チャンネルを設定し、ＵＥに上記専用チャンネル情報を通知する。
【００５２】
（３） 移動中である使用者の数のカウンティングセルハンドオーバー手順中、情報要素、すなわち、ＭＢＭＳサービス識別子が、現存するメッセージに基づいてＳＲＮＣからＤＲＮＣに伝送される第１のメッセージに追加される。上記メッセージは、ＭＢＭＳサービス使用者の数をカウンティングするためにＤＲＮＣによって使用される。
【００５３】
（４） チャンネルセットアップメッセージ
（４．１） 現存するメッセージへの変更
「Ｉｕｒインターフェースメッセージ」
「共通伝送チャンネル資源要請メッセージ」
新たな情報要素、すなわち、ＭＢＭＳサービス識別子が、現在標準に定義されているメッセージに新たに追加される。上記ＭＢＭＳサービス識別子は、２つのパーツ、すなわち、アクセスポイントネーム（Access Point Name；ＡＰＮ）及びインターネットプロトコルマルチキャストアドレス（IP（Internet Protocol）multicast address）を含む。
【００５４】
「共通伝送チャンネル資源応答メッセージ」
新たな情報要素、すなわち、ＭＢＭＳチャンネルタイプが、現在標準に定義されているメッセージに新たに追加される。上記情報は、すなわち、ブール値（Boolean value）で設定される。例えば、“１”は、専用チャンネルタイプを意味し、“０”は、共通チャンネルタイプを意味する。
【００５５】
無線リンクセットアップ要請メッセージに新たな情報、すなわち、ＭＢＭＳサービス識別子を追加する。これは、現在標準に定義されているメッセージに基づいている。上記ＭＢＭＳサービス識別子は、２つのパーツ、すなわち、ＡＰＮ及びＩＰマルチキャストアドレスを含む。
【００５６】
「無線リンクセットアップ応答メッセージ」
新たな情報要素、すなわち、ＭＢＭＳチャンネルタイプが、現在標準に定義されているメッセージに新たに追加される。これは、ブール値で設定される。例えば、“１”は、専用チャンネルタイプを意味し、“０”は、共通チャンネルタイプを意味する。
【００５７】
「ＲＲＣメッセージ」
「セルアップデート確認メッセージ（Cell update confirmation message）」
新たな情報、すなわち、ＭＢＭＳチャンネルタイプが、現在標準に定義されているメッセージに新たに追加される。上記情報は、すなわち、ブール値で設定される。例えば、“１”は、専用チャンネルタイプを意味し、“０”は、共通チャンネルタイプを意味する。そして、ＭＢＭＳチャンネル情報が追加される。これは、選択的タイプである。ＭＢＭＳサービスタイプが専用チャンネルであれば、上記メッセージは、ＭＢＭＳ専用チャンネル情報を含む。このような詳細な情報要素は、現在標準に定義されている情報と同一である。ＭＢＭＳサービスタイプが共通チャンネルであれば、上記メッセージは、ＭＢＭＳ共通チャンネル情報を含む。
【００５８】
（４．２） ＭＢＭＳチャンネルスイッチングのために新たに定義されたメッセージ
（４．２．１） ＭＢＭＳチャンネルセットアップ要請メッセージ
本発明では、方法２のために新たなメッセージ、すなわち、ＭＢＭＳチャンネルセットアップ要請メッセージを定義する。これは、Ｉｕｒインターフェース上のメッセージであって、ＳＲＮＣが、ＵＥが受信しているＭＢＭＳサービスタイプと、上記使用者のために設定されるＭＢＭＳ専用チャンネルと、共通チャンネルの情報とを、ＤＲＮＣに通知するためのメッセージである。ＳＲＮＣは、上記メッセージを通してＭＢＭＳ専用チャンネル及び共通チャンネルを設定するために必要な全ての情報をＤＲＮＣに知らせる。そして、ＤＲＮＣは、設定しようとするＭＢＭＳチャンネルタイプを決定するために、上記ＭＢＭＳ使用者の数を再びカウンティングする。上記メッセージによって提供されるパラメータに従って対応するＭＢＭＳチャンネルを設定する。
【００５９】
上記メッセージは、下記のような構成要素を含む。
【００６０】
◆  ＭＢＭＳサービス識別子（MBMS Service identifier）
２つのパーツ、すなわち、ＡＰＮ及びＩＰマルチキャストアドレスを含む。
【００６１】
◆  ＭＢＭＳ専用チャンネル情報（MBMS dedicated channel information）
主要な内容は、下記の通りである。
※  ダウンリンク伝送組合せフォーマットセット（Downlink transport combination format Set）
※  ダウンリンク専用物理チャンネルタイムスロットフォーマット（Downlink dedicated physical channel timeＳlot format）
※  ダウンリンク周波数拡散コード番号（Downlink frequency Spreading code number）
※  ダウンリンクデータの受信ウィンドー開始点（Start point of downlink data receiving window）
※  ダウンリンクデータの受信ウィンドー終端点（End point of downlink data receiving window）
※  専用伝送チャンネル識別子（Dedicated transfer channel identifier）
※  伝送ソースの統計的状況（Statistical description of transfer Source）
※  伝送チャンネルのフォーマットセット（Transfer channel format Set）
※  伝送ブロックのコードエラー率（Code error rate of transmission block）
【００６２】
◆  共通チャンネル情報（Common channel information）
※  ドリフト無線網制御器の臨時識別子（Drift radio network temporary identifier）
※  伝送ベアラー要請指示（Transfer bearer requirementＳindication）
※  伝送ベアラーロゴ（Transfer bearer logo）
【００６３】
（４．２．２） ＭＢＭＳチャンネルセットアップ応答メッセージ（MBMS channel Setup response message）
ＭＢＭＳを支援するために、本発明で新たに定義されたメッセージ、すなわち、上記ＭＢＭＳチャンネルセットアップ応答メッセージは、ＤＲＮＣからＳＲＮＣに伝送される応答メッセージである。上記対応するＭＢＭＳチャンネルに対応して設定した後、ＤＲＮＣは、ＭＢＭＳチャンネルタイプを使用し、ＲＲＣメッセージを通してＵＥのＭＢＭＳチャンネル構成のために、専用チャンネル又は共通チャンネルに対応する情報をＳＲＮＣにさらに伝送する。
【００６４】
上記メッセージは、下記のような構成要素を含む。
【００６５】
◆  ＭＢＭＳサービス識別子（MBMS service identifier）
◆  ＭＢＭＳ専用チャンネル情報（MBMS dedicated channel information） 
これは、選択的なタイプである。ＤＲＮＣがＭＢＭＳサービスのために、伝送チャンネルの設定を決定すると、上記情報が上記メッセージに含まれる。共通チャンネルが設定されると、上記情報は含まれない。
【００６６】
主要な内容は、下記の通りである。
※  専用伝送チャンネル識別子（Dedicated transfer channel identifier）
※  バインディング識別子（Binding identifier）、すなわち、データ伝送ベアラーのために、ＤＲＮＣによって割り当てられる単一識別子
※  伝送レイヤーアドレス（Transport layer address）
【００６７】
◆  ＭＢＭＳ共通チャンネル情報（MBMS common channel information）
すなわち、選択的なタイプである。ＤＲＮＣがＭＢＭＳサービスのために、共通チャンネルセットアップを決定すると、上記情報が上記メッセージに含まれる。専用チャンネルが設定されると、上記情報は除外される。
【００６８】
主要な内容は、下記の通りである。
※  ＳＣＣＰＣＨオフセット（SCCPCH offset）
※  ダウンリンクスクランブリングコード（Download Scrambling code）
※  ダウンリンク周波数拡散コード番号（Download frequency Spreading code number）
※  伝送フォーマット組合せセット（Transport format combination Set）
※  ＳＣＣＰＣＨタイムスロットフォーマット（SCCPCH time-slot format）
※  ＦＡＣＨ／ＰＣＨ伝送フォーマットセット（FACH/PCH transport format Set）
【００６９】
（４．２．３） ＭＢＭＳチャンネル情報の問合せメッセージ（MBMS channel information query message）
方法３のために、本発明で新たに定義されたメッセージ、すなわち、ＭＢＭＳチャンネル情報の問合せメッセージは、Ｉｕｒインターフェースのために使用される。これは、ＤＲＮＣでＭＢＭＳを支援するための設定可能なチャンネルタイプを問い合わせるために、上記ＳＲＮＣからＤＲＮＣに伝送される。
【００７０】
上記メッセージは、下記の情報要素を含む。
【００７１】
◆  ＭＢＭＳサービス識別子（MBMS service identifier）
【００７２】
（４．２．４） ＭＢＭＳチャンネル情報報告メッセージ（MBMS channel information report message） 
方法３のために、本発明で新たに定義されたメッセージ、すなわち、上記ＭＢＭＳチャンネル情報報告メッセージは、ＤＲＮＣがＳＲＮＣに使用される全てのＭＢＭＳサービスタイプを報告するために使用される。
【００７３】
◆  上記メッセージは、下記の情報要素を含む。
【００７４】
◆  ＭＢＭＳサービス識別子（MBMS service identifier） 
◆  ＭＢＭＳチャンネルタイプ（MBMS channel type）
ここで、“１” は、専用チャンネルを意味し、“０”は、共通チャンネルを意味する。
【００７５】
（４．２．５） ＭＢＭＳチャンネル情報指示メッセージ（MBMS channel information indication message）
方法４のために、本発明で新たに定義されたメッセージ、すなわち、上記ＭＢＭＳチャンネル情報指示は、ＤＲＮＣがＳＲＮＣに使用されたＭＢＭＳサービスタイプを報告するのに使用される。
【００７６】
上記メッセージは、下記のような情報要素を含む。
【００７７】
◆  ＭＢＭＳサービス識別子（MBMS service identifier）
◆  ＭＢＭＳチャンネルタイプ（MBMS channel Type）
◆  ＭＢＭＳ共通チャンネル情報（MBMS common channel information）
上記メッセージは、ＤＲＮＣがＭＢＭＳデータを伝送するために、共通チャンネルを使用する場合、上記情報を含む。そうでない場合は、上記メッセージは、上記情報を含まない。
【００７８】
（４．２．６） ＭＢＭＳサービス要請メッセージ（MBMS service request message）
ＭＢＭＳのために、本発明で新たに定義したメッセージ、すなわち、上記ＭＢＭＳサービス要請メッセージは、ＳＮＲＣがＭＢＭＳチャンネル情報をＵＥに通知するのに使用される。
【００７９】
上記メッセージは、下記の情報要素を含む。
【００８０】
◆  ＭＢＭＳサービス識別子（MBMS service identifier）
◆  ネットワークフィールド識別子（Network field identifier）
◆  ルートフィールド識別子（Route field identifier）
◆  サービスフィールド識別子（Service filed identifier）
◆  Ｉｕシグナリング識別子（Iu Signalling identifier）
◆  グローバルＲＮＣ番号（Global RNC number）
【００８１】
（４．２．７） ＭＢＭＳチャンネル再構成要請メッセージ（MBMS channel re-configuration request message）
ＭＢＭＳのために、本発明で新たに定義したメッセージ、すなわち、上記ＭＢＭＳチャンネル再構成要請メッセージは、ＳＲＮＣがＵＥにＭＢＭＳチャンネル情報を通知するのに使用される。
【００８２】
上記メッセージは、下記の情報要素を含む。
【００８３】
◆  ＭＢＭＳサービス識別子（MBMS service identifier）
◆  チャンネルタイプ（Channel Type）
◆  ＭＢＭＳ共通チャンネル情報（MBMS common channel information）
上記メッセージは、ＤＲＮＣがＭＢＭＳデータを伝送するために、共通チャンネルを使用する場合、上記情報を含む。そうでない場合は、上記メッセージは、上記情報を含まない。
【００８４】
◆  ＭＢＭＳ専用チャンネル情報（MBMS dedicated channel information）
上記メッセージは、ＤＲＮＣがＭＢＭＳデータを伝送するために、専用チャンネルを使用する場合、上記情報を含む。そうでない場合は、上記メッセージは、上記情報を含まない。
【００８５】
（４．２．８） ＭＢＭＳチャンネル再構成応答メッセージ（MBMS channel re-configuration response message）
ＭＢＭＳのために、本発明で新たに定義したメッセージ、すなわち、上記ＭＢＭＳチャンネル再構成応答メッセージは、ＵＥによってＭＢＭＳチャンネル再構成が完了することをＳＲＮＣに通知するのに使用される。
【００８６】
上記メッセージは、下記の情報要素を含む。
【００８７】
◆  ＭＢＭＳサービス識別子（MBMS service identifier）
【００８８】
以下、本発明による望ましい実施形態を添付図面を参照して詳細に説明する。
【００８９】
方法１：
図１及び図２は、使用者がＤＲＮＣの任意のセルに移動し、ＳＲＮＣは、再び割り当てられない場合、ＭＢＭＳチャンネルタイプスイッチング手順を示す。下記で上記手順を具体的に説明する。一番目に、ＭＢＭＳデータは、ＳＧＳＮからＮｏｄｅ Ｂ１を通してＵＥへ伝送される。
【００９０】
（１） 専用チャンネルから専用チャンネル／共通チャンネルへのスイッチング
ステップ９０２で、ＵＥは、ＣＥＬＬ＿ＤＣＨ状態で存在し、ＤＲＮＣの任意の目的地セルに進入する。現在の標準に従って、ＳＲＮＣは、ＵＥから伝送されたメジャーメント報告により、ＳＲＮＣを再位置させないように決定し、セルハンドオーバー手順を遂行する。ＳＲＮＣは、ＵＥが受信しているＭＢＭＳサービス識別子をＤＲＮＣに通知するために、現在のメッセージフォーマットに基づいて、新たな情報である“ＭＢＭＳサービス識別子”を追加した無線リンクセットアップ要請メッセージをＤＲＮＣに伝送する。
【００９１】
ステップ９０３で、ＤＲＮＣは、上記ＭＢＭＳサービス識別子に従って使用者が要請したＭＢＭＳサービスの種類を認知するようになり、上記サービスに対応する使用者の数を１つ追加することができる。
【００９２】
ステップ９０４で、上記使用者がローカルＲＮＣの中で上記サービスを要請した一番目の使用者であれば、ＤＲＮＣは、ＳＧＳＮで構成された基幹回線網（以下、“ＣＮ”と称する。）に対するデータチャンネルを設定する。ＤＲＮＣは、上記ＭＢＭＳ識別子を知らせるために、ＳＧＳＮへＭＢＭＳサービス要請メッセージを伝送する。そして、ＳＧＳＮは、データチャンネルを設定する役割を遂行する。
【００９３】
ステップ９０５で、ＳＧＳＮは、ＤＲＮＣにＭＢＭＳ ＲＡＢ要請又はＲＡＢの割り当て要請メッセージを伝送する。
【００９４】
ステップ９０６で、上記データチャンネルを成功的に設定した後、ＤＲＮＣは、ＭＢＭＳ ＲＡＢ応答又はＲＡＢの割当て応答メッセージをＳＧＳＮに伝送する。
【００９５】
ステップ９０７で、ＤＲＮＣは、無線リンクセットアップ応答メッセージをＳＲＮＣに伝送する。上記メッセージは、現在のフォーマットに基づいて新たな情報要素、すなわち、ＭＢＭＳチャンネルタイプを追加する。これは、ＤＲＮＣが、ＵＥが位置した上記セルで使用される上記ＭＢＭＳサービスのチャンネルタイプをＳＲＮＣに通知するためである。
【００９６】
ステップ９０８で、ＳＲＮＣは、上記ＭＢＭＳチャンネルタイプを分析する。上記ＵＥが位置したＤＲＮＣの上記セルが専用チャンネルを使用すると、ＳＲＮＣは、ステップ９１１に進行する。そうでない場合は、ＳＲＮＣは、ステップ９０９に進行する。
【００９７】
ステップ９０９で、ＳＲＮＣは、上記分析を通じて、上記ＵＥが位置したＤＲＮＣの上記セルが共通チャンネルを使用するＭＢＭＳチャンネルタイプであることを認知する。ＳＲＮＣは、共通チャンネル情報を報告するために、共通伝送チャンネル資源要請メッセージ（common transport channel resource request message ）を通じてＤＲＮＣに通知する。
【００９８】
ステップ９１０で、ＤＲＮＣは、共通伝送チャンネル資源応答メッセージをＳＲＮＣに伝送する。これは、ＭＢＭＳ共通チャンネルパラメータをＳＲＮＣに報告するためである。
【００９９】
ステップ９１１で、ＳＲＮＣの特定のソースセルは、ＵＥの脱退に従って対応するＭＢＭＳサービス使用者の数を１つ減少させる。
【０１００】
ステップ９１２で、ＳＲＮＣは、ＲＲＣメッセージ、物理チャンネル再構成要請メッセージ、又は、ＭＢＭＳチャンネル再構成メッセージを通じてＭＢＭＳチャンネル情報をＵＥに通知する。
【０１０１】
ステップ９１３で、ＵＥは、上記ＭＢＭＳチャンネルパラメータがハンドオーバーの前に使用したものと同一でない場合、ＭＢＭＳチャンネルを再構成する。成功すると、成功メッセージをリターンする。ＵＥは、ＭＢＭＳチャンネル再構成の完了を報告するために、ＳＲＮＣにＭＢＭＳチャンネル再構成完了メッセージを伝送する。このとき、セルハンドオーバー手順は完了する。新たなＭＢＭＳチャンネルが専用チャンネルであれば、ＭＢＭＳデータは、Ｉｕｒインターフェースを介してＳＲＮＣからＤＲＮＣを通してＵＥに伝送される。共通チャンネルが使用されると、ＭＢＭＳデータは、ＳＧＳＮによってＤＲＮＣに直接に伝送され、ＤＲＮＣによってＵＥに伝送される。
【０１０２】
ステップ９１４で、ＳＲＮＣは、上記ソースセルの無線専用リンクを削除する。
【０１０３】
（２） 共通チャンネルから共通チャンネル又は専用チャンネルへのスイッチング
ステップ１０１で、ｎｏｎ-ＣＥＬＬ＿ＤＣＨ状態のＵＥがＤＲＮＣのターゲットセルに進入する。現在の標準に従って、ＵＥは、セルアップデート手順の遂行を必要とする。ＵＥは、ＣＥＬＬ＿ＦＡＣＨに遷移し、ＳＲＮＣにセルアップデートメッセージを伝送する。上記メッセージフォーマットは、現在標準に定義されているものと同一である。
【０１０４】
ステップ１０２で、ＳＲＮＣは、現在のメッセージフォーマットに“ ＭＢＭＳサービス識別子”を新たに追加した共通伝送チャンネル資源要請メッセージをＤＲＮＣに伝送する。これは、ＵＥが受信している上記ＭＢＭＳサービス識別子をＤＲＮＣに通知するために使用される。
【０１０５】
ステップ１０３で、ＤＲＮＣは、上記ＭＢＭＳサービス識別子に従って使用者が要請したＭＢＭＳサービスの種類を認知するようになり、対応するサービス使用者に１つを追加することができる。
【０１０６】
ステップ１０４で、上記使用者がローカルＲＮＣで上記サービスを要請した一番目の使用者であれば、ＤＲＮＣは、ＳＧＳＮで構成された基幹回線網(ＣＮ)とサービスデータチャンネルを設定し、ＳＧＳＮに上記ＭＢＭＳサービス識別子を知らせる。ＤＲＮＣは、ＭＢＭＳサービス要請メッセージをＳＧＳＮに伝送し、ＳＧＳＮは、データチャンネルを設定する機能を遂行する。
【０１０７】
ステップ１０５で、ＳＧＳＮは、ＭＢＭＳ ＲＡＢ要請又はＲＡＢ割当て要請メッセージをＤＲＮＣに伝送する。
【０１０８】
ステップ１０６で、上記データチャンネルを成功的に設定した後、ＤＲＮＣは、ＭＢＭＳ ＲＡＢ応答又はＲＡＢ割当て応答メッセージをＣＮに伝送する。
【０１０９】
ステップ１０７で、ＤＲＮＣは、共通伝送チャンネル資源応答メッセージをＳＲＮＣに伝送する。上記メッセージは、現在のフォーマットに基づいて新たな情報要素、すなわち、ＭＢＭＳチャンネルタイプが追加される。これは、ＤＲＮＣが上記ＵＥが位置した上記セルで使用されるＭＢＭＳサービスのチャンネルタイプをＳＲＮＣに通知するためである。
【０１１０】
ステップ１０８で、ＳＲＮＣは、上記ＭＢＭＳチャンネルタイプを分析する。上記ＵＥが位置したＤＲＮＣの上記セルが共通チャンネルを使用すると、直接ステップ１１３を遂行する。
【０１１１】
ステップ１０９で、ＳＲＮＣは、上記ＭＢＭＳチャンネルタイプの分析から上記ＵＥが位置したＤＲＮＣの上記セルが専用チャンネルを使用することを認知し、ＤＲＮＣに無線リンクセットアップ要請メッセージを通じてＤＲＮＣの専用チャンネルを通知するために、ＤＲＮＣにＰｔＰ ＭＢＭＳチャンネル設定を通知する。
【０１１２】
ステップ１１０で、ＤＲＮＣは、ＤＲＮＣのターゲットセルの領域にＮｏｄｅ Ｂ２と専用無線リンクを設定する。
【０１１３】
ステップ１１１で、リンクを成功的に設定した後、ＤＲＮＣは、成功をＳＲＮＣに通報するために、無線リンクセットアップ応答メッセージをＳＲＮＣへ伝送する。
【０１１４】
ステップ１１２で、ＭＢＭＳデータ伝送のために、ＳＲＮＣとＤＲＮＣとの間にデータリンクベアラーが設定される。
【０１１５】
ステップ１１３で、ＳＲＮＣのソースセルは、上記ＵＥの移動に従って対応するＭＢＭＳサービス使用者の数を１つ減少させる。
【０１１６】
ステップ１１４で、ＳＲＮＣは、セルアップデート確認メッセージを通じてＭＢＭＳチャンネル情報をＵＥに通知する。
【０１１７】
ステップ１１５で、ＵＥは、ＭＢＭＳチャンネルパラメータがハンドオーバーの前に使用したものと同一でなければ、ＭＢＭＳチャンネルを再構成する。成功すると、成功メッセージ、すなわち、ＭＢＭＳチャンネル再構成完了メッセージをリターンする。このとき、セルハンドオーバー手順は完了する。新たなＭＢＭＳチャンネルが専用チャンネルであれば、ＭＢＭＳデータは、Ｉｕｒインターフェースを介してＳＲＮＣからＤＲＮＣを通してＵＥに伝送される。共通チャンネルが使用されると、ＭＢＭＳデータは、ＳＧＳＮによってＤＲＮＣに直接に伝送され、上記ＤＲＮＣによってＵＥに伝送される。
【０１１８】
方法２：
図３は、ＵＥがＤＲＮＣの任意のセルにハンドオーバーを遂行する場合に変更されるＭＢＭＳチャンネルタイプスイッチング手順を示す。下記でさらに具体的に説明する。
【０１１９】
上記手順は、共通チャンネルと共通チャンネルとの間のスイッチング手順である。
【０１２０】
ステップ２０１で、ＳＲＮＣは、セルアップデートメッセージ又はＵＥから受信されたメジャーメント報告に従って、ＳＲＮＣを再位置させないように決定し、セルハンドオーバー又はセルアップデート手順を遂行する。特に、ＭＢＭＳチャンネルスイッチングのために使用されるメッセージと手順は、現在のハンドオーバー手順に影響を与えない範囲の内で追加される。ＳＲＮＣは、ＤＲＮＣにＭＢＭＳチャンネルセットアップ要請メッセージを伝送する。これは、３つの観点で下記の内容を含む。一番目は、ＤＲＮＣに使用者を容易にカウントさせるためのＭＢＭＳサービスの識別子であり、二番目は、ＭＢＭＳ専用チャンネル情報であり、三番目は、ＭＢＭＳ共通チャンネル情報である。ここで、ＤＲＮＣが共通チャンネル又は専用チャンネルの使用を決定する。
【０１２１】
ステップ２０２で、ＤＲＮＣは、上記ＭＢＭＳサービス識別子に対応して、上記使用者が要請したＭＢＭＳサービスの種類を認知することができ、上記対応するサービス使用者の数に１つを追加する。
【０１２２】
ステップ２０３で、上記使用者がローカルＲＮＣで上記サービスを要請した一番目の使用者であれば、ＤＲＮＣは、ＳＧＳＮで構成された基幹回線網（ＣＮ）とデータチャンネルを設定する。ＤＲＮＣは、ＭＢＭＳ識別子を知らせるために、ＳＧＳＮにＭＢＭＳサービス要請メッセージを伝送する。そして、ＳＧＳＮは、データチャンネルを設定する機能を遂行する。
【０１２３】
ステップ２０４で、ＳＧＳＮは、ＭＢＭＳ ＲＡＢ設定要請又はＲＡＢの割当て要請メッセージをＤＲＮＣに伝送する。
【０１２４】
ステップ２０５で、上記データチャンネルを成功的にセットアップした後、ＤＲＮＣは、ＭＢＭＳ ＲＡＢ設定応答又はＲＡＢ割当て応答メッセージをＳＧＳＮに伝送する。
【０１２５】
ステップ２０６で、ＤＲＮＣは、上記ターゲットセルのＭＢＭＳサービス使用者の数に従って、専用チャンネル又は共通チャンネルを設定するか否かを決定する。成功的に設定した後、ＭＢＭＳが専用チャンネルを使用すると、ＤＲＮＣは、ＭＢＭＳチャンネル設定応答メッセージを用いて専用チャンネル情報をＳＲＮＣに通知する。共通チャンネルが使用されると、ＤＲＮＣは、ＭＢＭＳチャンネル設定応答メッセージを用いて共通チャンネル情報をＳＲＮＣに通知する。
【０１２６】
ステップ２０７で、ＳＲＮＣは、上記ＭＢＭＳチャンネルタイプを分析する。上記ＵＥが位置したＤＲＮＣの上記セルが共通チャンネルを使用すると、ＳＲＮＣは、ステップ２０９に進行する。
【０１２７】
ステップ２０８で、ＳＲＮＣは、上記ＭＢＭＳチャンネルタイプの分析を通じて、上記ＵＥが位置したＤＲＮＣのセルが専用チャンネルを使用するかを確認し、上記ＭＢＭＳデータを伝送するために、ＳＲＮＣとＤＲＮＣとの間にデータリンクベアラーを設定する。
【０１２８】
ステップ２０９で、ＳＲＮＣのセルは、上記ＵＥの脱退によって対応するＭＢＭＳサービス使用者の数を１つ減少させる。
【０１２９】
ステップ２１０で、ＳＲＮＣは、ＲＲＣメッセージを通じてセルアップデート確認メッセージ、又は、他のＲＲＣメッセージを通じてＵＥのＭＢＭＳチャンネル情報を通知する。
【０１３０】
ステップ２１１で、ＵＥは、ＭＢＭＳチャンネルパラメータがハンドオーバーの前に使用したものと同一でなければ、ＭＢＭＳチャンネルを再構成する。上記ＭＢＭＳチャンネル再構成が成功すると、成功ＲＲＣメッセージは、リターンされる。新たなＭＢＭＳチャンネルが専用チャンネルであれば、ＭＢＭＳデータは、Ｉｕｒインターフェースを介してＳＲＮＣによってＤＲＮＣを通してＵＥに伝送される。共通チャンネルが使用されると、ＭＢＭＳデータは、ＳＧＳＮによってＤＲＮＣに直接に伝送され、上記ＤＲＮＣによってＵＥに伝送される。
【０１３１】
方法３：
図４は、ＵＥがＤＲＮＣの任意のセルにハンドオーバーを遂行する場合に変更されるＭＢＭＳチャンネルタイプスイッチング手順を示す。下記でさらに具体的に説明する。
【０１３２】
上記手順は、共通チャンネルと専用チャンネル間のスイッチング手順である。
【０１３３】
ステップ４０１で、ＵＥが他のセルに進入する場合、異なる状態に従って、ＵＥは、ＳＲＮＣに異なるメッセージ報告を伝送する。
【０１３４】
ステップ４０２で、ＳＲＮＣは、上記使用者が受信中であるＭＢＭＳサービスを認知し、ＭＢＭＳチャンネル情報問合せメッセージを伝送することによって、ＤＲＮＣにＭＢＭＳサービスのチャンネル情報を問い合わせる。上記メッセージは、ＭＢＭＳサービス識別子を含む。これにより、上記ＭＢＭＳサービス識別子に対応してＤＲＮＣが使用者の数を再びカウンティングし、上記ＤＲＮＣは、専用チャンネル又は共通チャンネルの支援を決定する。
【０１３５】
ステップ４０３で、ＤＲＮＣは、ＭＢＭＳサービスを支援するためのチャンネルタイプをＭＢＭＳチャンネル情報報告メッセージを通じてＳＲＮＣに報告する。
【０１３６】
ステップ４０４で、ＳＲＮＣは、上記ＤＲＮＣで支援される異なるチャンネルタイプに従って、共通チャンネル又は専用チャンネルを設定するための異なるメッセージを伝送する。専用チャンネルが設定された場合、無線リンクセットアップメッセージが伝送されなければならない。一方、共通チャンネルが設定された場合、共通伝送チャンネル資源要請メッセージが伝送されなければならない。
【０１３７】
ステップ４０５で、ＤＲＮＣは、サービス使用者の数を１つ増加させる。
【０１３８】
ステップ４０６〜ステップ４０８で、上記使用者がＭＢＭＳサービスを要請する一番目の使用者であれば、ＤＲＮＣは、これをＭＢＭＳマルチキャストグループに加入させることを要求し、ＭＢＭＳサービス要請メッセージ、ＭＢＭＳ ＲＡＢ要請メッセージ、及びＭＢＭＳ ＲＡＢ応答メッセージを交換して対応するＲＡＢを設定する。
【０１３９】
ステップ４０９で、ＳＲＮＣは、ＤＲＮＣが専用チャンネルを設定するように指示すると、ＤＲＮＣは、上記ＵＥが位置したセル領域のＮｏｄｅ Ｂ２に無線リンクの設定を要請する。
【０１４０】
ステップ４１０で、ＤＲＮＣは、共通伝送チャンネル応答メッセージを通じて、無線リンクセットアップ応答メッセージ又は共通チャンネルを用いて無線リンク上の情報をＳＲＮＣへ通知する。
【０１４１】
ステップ４１１で、ＭＢＭＳが専用チャンネルを通して伝送される場合、Ｉｕｒインターフェースのユーザープレーン（plane）が設定される。
【０１４２】
ステップ４１２で、ＳＲＮＣは、使用者端末が位置したセルの使用者の数を１つ減少させる。
【０１４３】
ステップ４１３で、ＳＲＮＣは、物理チャンネルを再構成することをＵＥに指示し、ＵＥが存在する相互に異なる状態に従って相互に異なるメッセージをＵＥへ伝送する。ここで、上記相互に異なるメッセージは、セルアップデート確認メッセージとＭＢＭＳチャンネル再構成要請メッセージとを意味する。
【０１４４】
ステップ４１４で、ＵＥは、ＭＢＭＳチャンネル再構成完了メッセージを用いて上記ＭＢＭＳチャンネル再構成が成功的に完了することをＳＲＮＣに報告する。
【０１４５】
方法４：
下記では、他の使用者の移動又は新たなサービスの登録に従うＭＢＭＳチャンネルタイプのスイッチング手順を示す。下記でさらに具体的に説明する。
【０１４６】
（１） 専用チャンネルから共通チャンネルへのスイッチング
ステップ５０１で、ＤＲＮＣは、新たな使用者が上記ＭＢＭＳサービスグループに加入し、ＤＲＮＣの特定のセルに転入して上記使用者の数が特定のしきい値を超過する場合、上記ＭＢＭＳチャンネルタイプを共通チャンネルにスイッチングするか否かを決定する。
【０１４７】
ステップ５０２で、ＤＲＮＣは、上記ＭＢＭＳサービスを支援するために、上記ＵＥが位置したセル領域内のＮｏｄｅ Ｂ２と共通チャンネルを設定する。
【０１４８】
ステップ５０３で、ＤＲＮＣは、ＭＢＭＳチャンネル情報指示メッセージを使用して上記チャンネルタイプの変更をＳＲＮＣに通知し、上記メッセージに従って共通チャンネル情報セットアップを遂行する。
【０１４９】
ステップ５０４及びステップ５０５で、ＳＲＮＣは、ＭＢＭＳチャンネル再構成要請／完了メッセージを交換してＵＥのＭＢＭＳチャンネルを再構成し、専用チャンネルから共通チャンネルに上記チャンネルタイプを変更する。
【０１５０】
ステップ５０６〜ステップ５０８で、ＳＲＮＣは、無線リンク削除応答メッセージを伝送することによって、上記ＭＢＭＳサービスのために構成されたもとの専用チャンネルの削除をＤＲＮＣに通知する。ＤＲＮＣは、上記Ｎｏｄｅ Ｂ２の専用チャンネル資源を削除し、無線リンク削除応答メッセージをＳＲＮＣに伝送する。
【０１５１】
ステップ５０９で、上記ＤＲＮＣとＳＲＮＣとの間のユーザープレーン上に設定されたＩｕｒインターフェースの伝送ベアラーを解除する。
【０１５２】
（２） 共通チャンネルから専用チャンネルへのスイッチング
ステップ６０１で、ＤＲＮＣは、任意の使用者が上記ＭＢＭＳサービスグループから脱退するか、又は上記ＤＲＮＣのサービスセルから他のセルへ移動して、上記使用者の数が特定のしきい値より小さい場合、上記チャンネルタイプを専用チャンネルにスイッチングするか否かを決定する。
【０１５３】
ステップ６０２で、ＤＲＮＣは、ＭＢＭＳチャンネル情報指示メッセージを使用して上記チャンネルタイプ変更をＳＲＮＣに通知する。
【０１５４】
ステップ６０３からステップ６０５で、ＳＲＮＣは、無線リンクセットアップ要請メッセージを伝送することによって、上記使用者のＭＢＭＳサービスのための専用チャンネルの設定をＤＲＮＣに指示する。ＤＲＮＣは、対応する専用無線リンクをＮｏｄｅ Ｂ２と設定し、無線リンクセットアップ応答メッセージをＳＲＮＣに伝送する。
【０１５５】
ステップ６０６で、上記ＳＲＮＣとＤＲＮＣとの間にＩｕｒインターフェース上のユーザープレーンの伝送ベアラーが設定される。
【０１５６】
ステップ６０７及びステップ６０８で、ＳＲＮＣは、ＭＢＭＳチャンネル再構成要請／完了メッセージを交換し、上記ＭＢＭＳサービスチャンネルを再構成するようにＵＥに指示する。
【０１５７】
以上、本発明を具体的な実施形態を参照して詳細に説明してきたが、本発明の範囲は上述の実施形態によって限定されるべきではなく、本発明の範囲内で様々な変形が可能であるということは、当該技術分野における通常の知識を持つ者には明らかである。
【図面の簡単な説明】
【０１５８】
【図１】本発明の第１の実施形態に従って、ＣＥＬＬ＿ＤＣＨ状態にある使用者端末が、専用チャンネルから共通チャンネル又は専用チャンネルにＭＢＭＳチャンネルタイプスイッチングを遂行するプロセスを示すフローチャートである。
【図２】本発明の第１の実施形態に従って、ＣＥＬＬ＿ＦＡＣＨ状態にある使用者端末が、共通チャンネルから専用チャンネル又は共通チャンネルにＭＢＭＳチャンネルタイプスイッチングを遂行するプロセスを示すフローチャートである。
【図３】本発明の第２の実施形態に従って、共通チャンネルから専用チャンネルにＭＢＭＳチャンネルタイプスイッチングを遂行するプロセスを示すフローチャートである。
【図４】本発明の第３の実施形態に従って、共通チャンネルから専用チャンネル又は共通チャンネルにＭＢＭＳチャンネルタイプスイッチングを遂行するプロセスを示すフローチャートである。
【図５】本発明の第４の実施形態に従って、専用チャンネルから共通チャンネルにＭＢＭＳチャンネルタイプスイッチングを遂行するプロセスを示すフローチャートである。
【図６】本発明の第４の実施形態に従って、共通チャンネルから専用チャンネルにＭＢＭＳチャンネルタイプスイッチングを遂行するプロセスを示すフローチャートである。
【図７】サービング無線網制御器が再び割り当てられない場合、従来のＩｕｒインターフェースを介してセルアップデート手順が遂行されるプロセスを示す図である。
【図８】サービング無線網制御器が再び割り当てられない場合、従来のＩｕｒインターフェースを介してソフトハンドオーバー手順が遂行されるプロセスを示す図である。
【図９】移動通信システムでＭＢＭＳサービスを提供するためのネットワーク構造を概略的に示す図である。
【符号の説明】
【０１５９】
０１    マルチキャスト放送サービスセンター（Broadcast／Multicast Service Center）
０２    ゲートウェイパケット無線サービス支援ノード（Gateway GPRS Supporting Node）
０３    サービスパケット無線サービス支援ノード（Service GPRS Supporting Node）
０４    ＵＭＴＳ無線アクセスネットワーク（UMTS Terrestrial Radio Access Network）
０５    使用者端末（User Equipment）
０６    ホーム位置登録器（Home Location Register）
０７    Ｕｕ（端末装置と無線アクセスネットワークとの間の無線インターフェース）
【国際調査報告】
2005536142.tif 000012